(57)【特許請求の範囲】
【請求項１】
基板と、
該基板上に配置され、陽極及び陰極を含む一対の電極と、
該電極間に配置され、発光層を含む少なくとも一層の有機層とを有し、
前記有機層が下記一般式（１）で表される化合物を含む有機電界発光素子。
【化１】
0006046884.tif 000070
（式中、Ｃｙは置換基を有してもよいピレン環を表し、Ｄｎ1またはＡｃ1のいずれか一方をピレン環の１位または３位に有し、Ｄｎ1またはＡｃ1のうちの残りの一方をピレン環の６位または８位に有する。
Ｄｎ1はＮＲ11、Ｏ原子またはＳ原子を表す。Ｒ11は置換基を表し、Ｒ11はＣｙと結合して芳香環以外の環を形成してもよい。
Ａｃ1は電子吸引性置換基を有するアリール基または電子欠損性ヘテロアリール基を表し、Ａｃ1は更に置換基を有していてもよい。
環Ｚ1はアリーレン基またはヘテロアリーレン基を表し、Ａ11は環Ｚ1を構成する炭素原子を表し、Ａ12は環Ｚ1を構成する炭素原子または窒素原子を表す。
Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に置換基を表す。
ｕ１は１を表し、Ｃｙ、Ｄｎ1および環Ｚ1によって形成される環は芳香環ではない環、またはピロール環もしくはフラン環である。
ｍ１は０または１を表し、ｍ１が０かつｕ１が１のときＣｙと環Ｚ1は直接結合する。
ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない環またはフラン環である。但し、Ａｃ1がピリジン環であるときｎ１およびｑ１のうち少なくとも一方は１である。）
【請求項２】
前記一般式（１）で表される化合物が下記一般式（２）または一般式（３）で表される化合物であることを特徴とする請求項１に記載の有機電界発光素子。
【化２】
0006046884.tif 000071
（式中、Ｄｎ2はＮ原子、Ｏ原子またはＳ原子を表し、ｕ２１とｔ２４の和は１である。Ｄｎ2がＮ原子を表す場合に、Ｄｎ2はさらに置換基を有する。
Ａｃ2は電子吸引性置換基を有するアリール基または電子欠損性ヘテロアリール基を表し、Ａｃ2は更に置換基を有していてもよい。
環Ｚ21および環Ｚ24はそれぞれ独立にアリーレン基またはヘテロアリーレン基を表し、Ａ21は環Ｚ21を構成する炭素原子を表し、Ａ22は環Ｚ21を構成する炭素原子または窒素原子を表し、Ａ27は環Ｚ24を構成する炭素原子を表し、Ａ28は環Ｚ24を構成する炭素原子または窒素原子を表す。
Ｒ103、Ｒ104、Ｒ108およびＲ109はそれぞれ独立に水素原子または置換基を表す。
Ｌ21、Ｌ22、Ｌ23およびＬ24はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に置換基を表す。
ｕ２１は０または１を表し、ｕ２１が０の場合にピレン環の＃位とＤｎ2は結合せず、ｕ２１が１の場合にピレン環、Ｄｎ2および環Ｚ21によって形成される環は芳香環ではない環、またはピロール環もしくはフラン環である。
ｔ２４は０または１を表し、ｔ２４が０の場合にピレン環の＃位とＤｎ2は結合せず、ｔ２４が１の場合にピレン環、Ｄｎ2および環Ｚ24によって形成される環は芳香環ではない環、またはピロール環もしくはフラン環である。
ｍ２１は０または１を表し、ｍ２１が０かつｕ２１が１のときピレン環の＃位と環Ｚ21は直接結合する。
ｓ２４は０または１を表し、ｓ２４が０かつｕ２４が１のときピレン環の＃位と環Ｚ24は直接結合する。
ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない環またはフラン環である。ｎ２２またはｑ２３が０の場合にピレン環の＊位とＡｃ2は結合しない。但し、Ａｃ2がピリジン環であるときｎ２２およびｑ２３のうち少なくとも一方は１である。）
【化３】
0006046884.tif 000072
（式中、Ｄｎ3はＮ原子、Ｏ原子またはＳ原子を表し、ｕ３１とｔ３４の和は１である。Ｄｎ3がＮ原子を表す場合に、Ｄｎ3はさらに置換基を有する。
Ａｃ3は電子吸引性置換基を有するアリール基または電子欠損性ヘテロアリール基を表し、Ａｃ3は更に置換基を有していてもよい。
環Ｚ31および環Ｚ34はそれぞれ独立にアリーレン基またはヘテロアリーレン基を表し、Ａ31は環Ｚ31を構成する炭素原子を表し、Ａ32は環Ｚ31を構成する炭素原子または窒素原子を表し、Ａ37は環Ｚ34を構成する炭素原子を表し、Ａ38は環Ｚ34を構成する炭素原子または窒素原子を表す。
Ｒ113、Ｒ114、Ｒ115およびＲ116はそれぞれ独立に水素原子または置換基を表す。
Ｌ31、Ｌ32、Ｌ33およびＬ34はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に置換基を表す。
ｕ３１は０または１を表し、ｕ３１が０の場合にピレン環の＃位とＤｎ3は結合せず、ｕ３１が１の場合にピレン環、Ｄｎ3および環Ｚ31によって形成される環は芳香環ではない環、またはピロール環もしくはフラン環である。
ｔ３４は０または１を表し、ｔ３４が０の場合にピレン環の＃位とＤｎ3は結合せず、ｔ３４が１の場合にピレン環、Ｄｎ3および環Ｚ34によって形成される環は芳香環ではない環、またはピロール環もしくはフラン環である。
ｍ３１は０または１を表し、ｍ３１が０かつｕ３１が１のときピレン環の＃位と環Ｚ31は直接結合する。
ｓ３４は０または１を表し、ｓ３４が０かつｔ３４が１のときピレン環の＃位と環Ｚ34は直接結合する。
ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない環またはフラン環である。ｎ３２またはｑ３３が０の場合にピレン環の＊位とＡｃ3は結合しない。但し、Ａｃ3がピリジン環であるときｎ３２およびｑ３３のうち少なくとも一方は１である。）
【請求項３】
前記一般式（１）で表される化合物が、前記一般式（２）で表される化合物であることを特徴とする請求項２に記載の有機電界発光素子。
【請求項４】
前記一般式（２）で表される化合物が下記一般式（６）で表される化合物であることを特徴とする請求項３に記載の有機電界発光素子。
【化４】
0006046884.tif 000073
（式中、Ｄｎ2AはＮＲ11A、Ｏ原子またはＳ原子を表し、Ｒ11Aは置換基を表す。
Ａｃ2は電子吸引性置換基を有するアリール基または電子欠損性ヘテロアリール基を表し、Ａｃ2は更に置換基を有していてもよい。
環Ｚ21はアリーレン基またはヘテロアリーレン基を表し、Ａ21は環Ｚ21を構成する炭素原子を表し、Ａ22は環Ｚ21を構成する炭素原子または窒素原子を表す。
Ｒ103、Ｒ104、Ｒ108、Ｒ109およびＲ110はそれぞれ独立に水素原子または置換基を表す。
Ｌ21、Ｌ22およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に置換基を表す。
ｕ２１は１を表し、ピレン環、Ｄｎ2Aおよび環Ｚ21によって形成される環は芳香環ではない環、またはピロール環もしくはフラン環である。
ｍ２１は０または１を表し、ｍ２１が０かつｕ２１が１のときピレン環の＃位と環Ｚ21は直接結合する。
ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない環またはフラン環である。ｎ２２またはｑ２３が０の場合にピレン環の＊位とＡｃ2は結合しない。但し、Ａｃ2がピリジン環であるときｎ２２およびｑ２３のうち少なくとも一方は１である。）
【請求項５】
前記一般式（６）で表される化合物が下記一般式（８）で表される化合物であることを特徴とする請求項４に記載の有機電界発光素子。
【化５】
0006046884.tif 000074
（式中、Ｄｎ2AはＮＲ11A、Ｏ原子またはＳ原子を表し、Ｒ11Aは置換基を表す。
Ａｃ2Aは電子吸引性置換基を有するアリール基または電子欠損性ヘテロアリール基を表し、Ａｃ2Aは更に置換基を有していてもよい。
環Ｚ21はアリーレン基またはヘテロアリーレン基を表し、Ａ21は環Ｚ21を構成する炭素原子を表し、Ａ22は環Ｚ21を構成する炭素原子または窒素原子を表す。
Ｒ103、Ｒ104、Ｒ105、Ｒ108、Ｒ109およびＲ110はそれぞれ独立に水素原子または置換基を表す。
Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に置換基を表す。
ｕ２１は１を表し、ピレン環、Ｄｎ2Aおよび環Ｚ21によって形成される環は芳香環ではない環、またはピロール環もしくはフラン環である。
ｍ２１は０または１を表し、ｍ２１が０かつｕ２１が１のときピレン環の＃位と環Ｚ21は直接結合する。
ｑ２３は０または１を表し、ｑ２３が１の場合にピレン環、Ａｃ2AおよびＬ23によって形成される環はいずれも芳香環ではない環またはフラン環である。ｑ２３が０の場合にピレン環の＊位とＡｃ2Aは結合しない。但し、Ａｃ2Aがピリジン環であるときｑ２３は１である。）
【請求項６】
前記一般式（８）で表される化合物が下記一般式（１０）で表される化合物であることを特徴とする請求項５に記載の有機電界発光素子。
【化６】
0006046884.tif 000075
（式中、Ｄｎ2AはＮＲ11A、Ｏ原子またはＳ原子を表し、Ｒ11Aは置換基を表す。
Ａ22、Ａ23、Ａ24、Ａ25、Ａ26、Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。
Ｒ103、Ｒ104、Ｒ105、Ｒ108、Ｒ109およびＲ110はそれぞれ独立に水素原子または置換基を表す。
Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に置換基を表す。
ｍ２１は０または１を表し、ｍ２１が０のときピレン環の＃位とＡ22は直接結合する。
ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
【請求項７】
前記一般式（１０）で表される化合物が下記一般式（１２）で表される化合物であることを特徴とする請求項６に記載の有機電界発光素子。
【化７】
0006046884.tif 000076
（式中、Ｄｎ2AはＮＲ11A、Ｏ原子またはＳ原子を表し、Ｒ11Aは置換基を表す。
Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。
Ｒ103、Ｒ104、Ｒ105、Ｒ108、Ｒ109、Ｒ110、Ｒ201、Ｒ202、Ｒ203およびＲ204はそれぞれ独立に水素原子または置換基を表す。
Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に置換基を表す。
ｍ２１は０または１を表し、ｍ２１が０のとき＊＊位とピレン環の＃位は直接結合する。
ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
【請求項８】
前記一般式（２）で表される化合物の前記ｑ２３が１であることを特徴とする請求項３〜７のいずれか一項に記載の有機電界発光素子。
【請求項９】
前記一般式（１）で表される化合物が、前記一般式（３）で表される化合物であることを特徴とする請求項２に記載の有機電界発光素子。
【請求項１０】
前記一般式（３）で表される化合物が下記一般式（７）で表される化合物であることを特徴とする請求項９に記載の有機電界発光素子。
【化８】
0006046884.tif 000077
（式中、Ｄｎ3AはＮＲ11B、Ｏ原子またはＳ原子を表し、Ｒ11Bは置換基を表す。
Ａｃ3は電子吸引性置換基を有するアリール基または電子欠損性ヘテロアリール基を表し、Ａｃ3は更に置換基を有していてもよい。
環Ｚ31はアリーレン基またはヘテロアリーレン基を表し、Ａ31は環Ｚ31を構成する炭素原子を表し、Ａ32は環Ｚ31を構成する炭素原子または窒素原子を表す。
Ｒ113、Ｒ114、Ｒ115、Ｒ116およびＲ120はそれぞれ独立に水素原子または置換基を表す。
Ｌ31、Ｌ32およびＬ33はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に置換基を表す。
ｕ３１は１を表し、ピレン環、Ｄｎ3Aおよび環Ｚ31によって形成される環は芳香環ではない環、またはピロール環もしくはフラン環である。
ｍ３１は０または１を表し、ｍ３１が０かつｕ３１が１のときピレン環の＃位と環Ｚ31は直接結合する。
ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない環またはフラン環である。ｎ３２またはｑ３３が０の場合にピレン環の＊位とＡｃ3は結合しない。但し、Ａｃ3がピリジン環であるときｎ３２およびｑ３３のうち少なくとも一方は１である。）
【請求項１１】
前記一般式（７）で表される化合物が下記一般式（９）で表される化合物であることを特徴とする請求項１０に記載の有機電界発光素子。
【化９】
0006046884.tif 000078
（式中、Ｄｎ3AはＮＲ11B、Ｏ原子またはＳ原子を表し、Ｒ11Bは置換基を表す。
Ａｃ3Aは電子吸引性置換基を有するアリール基または電子欠損性ヘテロアリール基を表し、Ａｃ3Aは更に置換基を有していてもよい。
環Ｚ31はアリーレン基またはヘテロアリーレン基を表し、Ａ31は環Ｚ31を構成する炭素原子を表し、Ａ32は環Ｚ31を構成する炭素原子または窒素原子を表す。
Ｒ113、Ｒ114、Ｒ115、Ｒ116、Ｒ119およびＲ120はそれぞれ独立に水素原子または置換基を表す。
Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に置換基を表す。
ｕ３１は１を表し、ｕ３１が０の場合にピレン環の＃位とＤｎ3Aは結合せず、ｕ３１が１の場合にピレン環、Ｄｎ3Aおよび環Ｚ31によって形成される環は芳香環ではない環、またはピロール環もしくはフラン環である。
ｍ３１は０または１を表し、ｍ３１が０かつｕ３１が１のときピレン環の＃位と環Ｚ31は直接結合する。
ｎ３２は０または１を表し、ｎ３２が１の場合にピレン環、Ａｃ3AおよびＬ32によって形成される環はいずれも芳香環ではない環またはフラン環である。ｎ３２が０の場合にピレン環の＊位とＡｃ3Aは結合しない。但し、Ａｃ3Aがピリジン環であるときｎ３２は１である。）
【請求項１２】
前記一般式（９）で表される化合物が下記一般式（１１）で表される化合物であることを特徴とする請求項１１に記載の有機電界発光素子。
【化１０】
0006046884.tif 000079
（式中、Ｄｎ3AはＮＲ11B、Ｏ原子またはＳ原子を表し、Ｒ11Bは置換基を表す。
Ａ32、Ａ33、Ａ34、Ａ35、Ａ36、Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。
Ｒ113、Ｒ114、Ｒ115、Ｒ116、Ｒ119およびＲ120はそれぞれ独立に水素原子または置換基を表す。
Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に置換基を表す。
ｍ３１は０または１を表し、ｍ３１が０のときピレン環の＃位とＡ32は直接結合する。
ｎ３２は０または１を表し、ｎ３２が１の場合にピレン環、Ａｃ3AおよびＬ32によって形成される環はいずれも芳香環ではない。ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
【請求項１３】
前記一般式（１１）で表される化合物が下記一般式（１３）で表される化合物であることを特徴とする請求項１２に記載の有機電界発光素子。
【化１１】
0006046884.tif 000080
（式中、Ｄｎ3AはＮＲ11B、Ｏ原子またはＳ原子を表し、Ｒ11Bは置換基を表す。
Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。
Ｒ113、Ｒ114、Ｒ115、Ｒ116、Ｒ119、Ｒ120、Ｒ211、Ｒ212、Ｒ213およびＲ214はそれぞれ独立に水素原子または置換基を表す。
Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に置換基を表す。
ｍ３１は０または１を表し、ｍ３１が０のとき＊＊位とピレン環の＃位は直接結合する。
ｎ３２は０または１を表し、ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
【請求項１４】
前記一般式（３）で表される化合物の前記ｎ３２が１であることを特徴とする請求項９〜１３のいずれか一項に記載の有機電界発光素子。
【請求項１５】
前記一般式（１）で表される化合物の分子量が８００以下であることを特徴とする請求項１〜１４のいずれか一項に記載の有機電界発光素子。
【請求項１６】
前記一般式（１）で表される化合物を含む少なくとも一層の有機層が、前記発光層であることを特徴とする請求項１〜１５のいずれか一項に記載の有機電界発光素子。
【請求項１７】
前記一般式（１）で表される化合物が発光材料であることを特徴とする請求項１〜１６のいずれかに記載の有機電界発光素子。
【請求項１８】
前記発光層に、アントラセン系ホスト材料を含むことを特徴とする請求項１〜１７のいずれか一項に記載の有機電界発光素子。
【請求項１９】
前記発光層が真空蒸着プロセスにて形成されてなることを特徴とする請求項１〜１８のいずれか一項に記載の有機電界発光素子。
【請求項２０】
前記発光層が湿式プロセスにて形成されてなることを特徴とする請求項１〜１８に記載の有機電界発光素子。
【請求項２１】
請求項１〜２０のいずれか一項に記載の有機電界発光素子を用いた発光装置。
【請求項２２】
請求項１〜２０のいずれか一項に記載の有機電界発光素子を用いた表示装置。
【請求項２３】
請求項１〜２０のいずれか一項に記載の有機電界発光素子を用いた照明装置。
【請求項２４】
下記一般式（１）で表されることを特徴とする有機電界発光素子用材料。
【化１２】
0006046884.tif 000081
（式中、Ｃｙは置換基を有してもよいピレン環を表し、Ｄｎ1またはＡｃ1のいずれか一方をピレン環の１位または３位に有し、Ｄｎ1またはＡｃ1のうちの残りの一方をピレン環の６位または８位に有する。
Ｄｎ1はＮＲ11、Ｏ原子またはＳ原子を表す。Ｒ11は置換基を表し、Ｒ11はＣｙと結合して芳香環以外の環を形成してもよい。
Ａｃ1は電子吸引性置換基を有するアリール基または電子欠損性ヘテロアリール基を表し、Ａｃ1は更に置換基を有していてもよい。
環Ｚ1はアリーレン基またはヘテロアリーレン基を表し、Ａ11は環Ｚ1を構成する炭素原子を表し、Ａ12は環Ｚ1を構成する炭素原子または窒素原子を表す。
Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に置換基を表す。
ｕ１は１を表し、Ｃｙ、Ｄｎ1および環Ｚ1によって形成される環は芳香環ではない環、またはピロール環もしくはフラン環である。
ｍ１は０または１を表し、ｍ１が０かつｕ１が１のときＣｙと環Ｚ1は直接結合する。
ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない環またはフラン環である。但し、Ａｃ1がピリジン環であるときｎ１およびｑ１のうち少なくとも一方は１である。）
【発明の詳細な説明】
【技術分野】
【０００１】
本発明は、有機電界発光素子と、それに用いる有機電界発光素子用材料に関する。また本発明は、前記有機電界発光素子を用いた発光装置、表示装置または照明装置にも関する。
【背景技術】
【０００２】
有機電界発光素子（以下、「素子」、「有機ＥＬ素子」ともいう）は、低電圧駆動で高輝度の発光が得られることから活発に研究開発が行われている。有機電界発光素子は、一対の電極間に有機層を有し、陰極から注入された電子と陽極から注入された正孔とが有機層において再結合し、生成した励起子のエネルギーを発光に利用するものである。有機電界発光素子は、様々な発光波長を有する素子として提供することが可能であり、応答速度が速くて、比較的薄くて軽量であることから、広汎な用途へ応用されることが期待されている。なかでも、青色純度が高くて、発光効率が高い有機電界発光素子の開発は、フルカラーディスプレイへの応用等において重要であり、これまでにも種々の開発研究成果が報告されている。
【０００３】
例えば、特許文献１には、広汎なトリアジン基を含有する縮合多環芳香族である化合物を用いた有機電界発光素子が記載されている。その中には、置換または無置換のトリアジン基がピレン骨格に置換した化合物を用いた有機電界発光素子の実施例が挙げられており、良好な発光効率で青色発光を実現し、長寿命を達成したことが記載されている。また、特許文献２および３にはピレン骨格に窒素原子が直結してさらに縮環構造を形成している化合物が記載されており、特許文献４および５にはピレン骨格以外の縮合多環芳香環骨格に対して窒素原子が直結してさらに縮環構造を形成している化合物が記載されており、いずれも有機電界発光素子への応用が記載されている。
また、このような縮合多環芳香環に対してさらに縮環した化合物としては、特許文献６に様々な構造の化合物が記載されているが、同文献ではこのような化合物の中でどのような化合物が青色発光の有機電界発光素子において発光効率や色純度、耐久性に優れるかは記載されていなかった。
【先行技術文献】
【特許文献】
【０００４】
【特許文献１】特開２０１０−１３８１２１号公報
【特許文献２】特開２０１１−５１９６９号公報
【特許文献３】特開２０１１−７９８２２号公報
【特許文献４】ＷＯ２０１０／０７４５２０号公報
【特許文献５】ＵＳ２００８／０１２４４５５Ａ１
【特許文献６】ＤＥ１０２００８０３５４１３（Ａ１）
【発明の概要】
【発明が解決しようとする課題】
【０００５】
しかしながら、本発明者らが検討したところ、上記特許文献１〜５に記載される有機電界発光素子には、発光効率になお改善の余地があることが明らかになった。また、これらの有機電界発光素子の青色純度も十分とは言えず、さらに高い青色純度を実現する必要があることも明らかになった。さらに、これらの有機電界発光素子を長時間使用し続けると、発光強度が低下する駆動劣化に伴って色度が変化してしまうこと（以下、駆動色度変化とも言う）も明らかになった。また、特許文献６に具体的な構造が開示されているのは縮合多環芳香環に対してさらに２ヶ所で縮環した化合物であり、その２ヶ所の縮環構造を形成する環員が炭素原子である化合物であるところ、このような化合物は上記の発光効率、青色純度、駆動色度変化に改善が求められることがわかった。
本発明は以上の問題を解決することを目的とするものである。本発明が解決しようとする課題は、発光効率が高くて、青色純度が優れており、駆動劣化に伴う色度変化が小さい有機電界発光素子を提供することにある。
【課題を解決するための手段】
【０００６】
そこで本発明者らは、発光効率が高くて、青色純度が優れており、駆動劣化に伴う色度変化が小さい有機電界発光素子を提供することを目的として鋭意検討を進めた。その結果、縮環多環芳香環に対して、少なくとも２種の特定のドナー置換基とアクセプター置換基を導入した化合物を用いると上記の課題を解決することができることを見出して、以下に記載される本発明を提供するに至った。
【０００７】
［１］  基板と、該基板上に配置され、陽極及び陰極を含む一対の電極と、該電極間に配置され、発光層を含む少なくとも一層の有機層とを有し、前記有機層が下記一般式（１）で表される化合物を含む有機電界発光素子。
【化１】
0006046884.tif 000002
（式中、Ｃｙは構成環が３環以上の縮合芳香環構造を表し、Ｄｎ1とＡｃ1を異なる構成環に有し、各構成環はいずれも炭化水素環である。Ｄｎ1はＮＲ11、Ｏ原子またはＳ原子を表し、ｕ１が０の場合はさらに置換基を有する。Ｒ11は置換基を表し、Ｒ11はＣｙと結合して芳香環以外の環を形成してもよい。Ａｃ1は電子吸引性置換基、電子吸引性置換基を有するアリール基または電子欠損性ヘテロアリール基を表し、Ａｃ1は更に置換基を有していてもよい。環Ｚ1はアリーレン基またはヘテロアリーレン基を表し、Ａ11は環Ｚ1を構成する炭素原子を表し、Ａ12は環Ｚ1を構成する炭素原子または窒素原子を表す。Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に水素原子または置換基を表す。ｕ１は０または１を表し、ｕ１が１の場合にＣｙ、Ｄｎ1および環Ｚ1によって形成される環は芳香環ではない。ｍ１は０または１を表し、ｍ１が０かつｕ１が１のときＣｙと環Ｚ1は直接結合する。ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない。但し、Ａｃ1がピリジン環であるときｎ１およびｑ１のうち少なくとも一方は１である。）
［２］  ［１］に記載の有機電界発光素子は、前記一般式（１）中、前記Ｃｙが置換基を有していてもよいピレン、クリセン、フルオランテン、フェナントレンで表されることが好ましい。
［３］  ［１］または［２］に記載の有機電界発光素子は、前記一般式（１）中、前記Ｃｙが置換基を有していてもよいピレンで表され、該ピレンの１位または３位に前記Ｄｎ1または前記Ａｃ1のいずれか一方を有し、該ピレンの６位または８位に前記Ｄｎ1または前記Ａｃ1のうち残りの一方を有することが好ましい。
［４］  ［１］〜［３］のいずれか一項に記載の有機電界発光素子は、前記一般式（１）で表される化合物が下記一般式（２）〜一般式（５）のいずれかで表される化合物であることが好ましい。
【化２】
0006046884.tif 000003
（式中、Ｄｎ2はＮ原子、Ｏ原子またはＳ原子を表し、Ｄｎ2がＯ原子またはＳ原子を表す場合はｕ２１とｔ２４の和は０または１である。Ｄｎ2がＮ原子を表す場合にｕ２１とｔ２４の少なくとも一方が０を表すとき、あるいは、Ｄｎ2がＯ原子またはＳ原子を表す場合にｕ２１とｔ２４がともに０のときは、Ｄｎ2はさらに置換基を有する。Ａｃ2は電子吸引性置換基、電子吸引性置換基を有するアリール基または電子欠損性ヘテロアリール基を表し、Ａｃ2は更に置換基を有していてもよい。環Ｚ21および環Ｚ24はそれぞれ独立にアリーレン基またはヘテロアリーレン基を表し、Ａ21は環Ｚ21を構成する炭素原子を表し、Ａ22は環Ｚ21を構成する炭素原子または窒素原子を表し、Ａ27は環Ｚ24を構成する炭素原子を表し、Ａ28は環Ｚ24を構成する炭素原子または窒素原子を表す。Ｒ103、Ｒ104、Ｒ108およびＲ109はそれぞれ独立に水素原子または置換基を表す。Ｌ21、Ｌ22、Ｌ23およびＬ24はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2は結合せず、ｕ２１が１の場合にピレン環、Ｄｎ2および環Ｚ21によって形成される環は芳香環ではない。ｔ２４は０または１を表し、ｔ２４が０の場合にピレン環の＃位とＤｎ2は結合せず、ｔ２４が１の場合にピレン環、Ｄｎ2および環Ｚ24によって形成される環は芳香環ではない。ｍ２１は０または１を表し、ｍ２１が０かつｕ２１が１のときピレン環の＃位と環Ｚ21は直接結合する。ｓ２４は０または１を表し、ｓ２４が０かつｕ２４が１のときピレン環の＃位と環Ｚ24は直接結合する。ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない。ｎ２２またはｑ２３が０の場合にピレン環の＊位とＡｃ2は結合しない。但し、Ａｃ2がピリジン環であるときｎ２２およびｑ２３のうち少なくとも一方は１である。）
【化３】
0006046884.tif 000004
（式中、Ｄｎ3はＮ原子、Ｏ原子またはＳ原子を表し、Ｄｎ3がＯ原子またはＳ原子を表す場合はｕ３１とｔ３４の和は０または１である。Ｄｎ3がＮ原子を表す場合にｕ３１とｔ３４の少なくとも一方が０を表すとき、あるいは、Ｄｎ3がＯ原子またはＳ原子を表す場合にｕ３１とｔ３４がともに０のときは、Ｄｎ3はさらに置換基を有する。Ａｃ3は電子吸引性置換基、電子吸引性置換基を有するアリール基または電子欠損性ヘテロアリール基を表し、Ａｃ3は更に置換基を有していてもよい。環Ｚ31および環Ｚ34はそれぞれ独立にアリーレン基またはヘテロアリーレン基を表し、Ａ31は環Ｚ31を構成する炭素原子を表し、Ａ32は環Ｚ31を構成する炭素原子または窒素原子を表し、Ａ37は環Ｚ34を構成する炭素原子を表し、Ａ38は環Ｚ34を構成する炭素原子または窒素原子を表す。Ｒ113、Ｒ114、Ｒ115およびＲ116はそれぞれ独立に水素原子または置換基を表す。Ｌ31、Ｌ32、Ｌ33およびＬ34はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3は結合せず、ｕ３１が１の場合にピレン環、Ｄｎ3および環Ｚ31によって形成される環は芳香環ではない。ｔ３４は０または１を表し、ｔ３４が０の場合にピレン環の＃位とＤｎ3は結合せず、ｔ３４が１の場合にピレン環、Ｄｎ3および環Ｚ34によって形成される環は芳香環ではない。ｍ３１は０または１を表し、ｍ３１が０かつｕ３１が１のときピレン環の＃位と環Ｚ31は直接結合する。ｍ３４は０または１を表し、ｍ３４が０かつｔ３４が１のときピレン環の＃位と環Ｚ34は直接結合する。ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない。ｎ３２またはｑ３３が０の場合にピレン環の＊位とＡｃ3は結合しない。但し、Ａｃ3がピリジン環であるときｎ３２およびｑ３３のうち少なくとも一方は１である。）
【化４】
0006046884.tif 000005
（式中、Ｄｎ4はＮ原子、Ｏ原子またはＳ原子を表し、Ｄｎ4がＯ原子またはＳ原子を表す場合はｕ４１とｔ４４の和は０または１である。Ｄｎ4がＮ原子を表す場合にｕ４１とｔ４４の少なくとも一方が０を表すとき、あるいは、Ｄｎ4がＯ原子またはＳ原子を表す場合にｕ４１とｔ４４がともに０のときは、Ｄｎ4はさらに置換基を有する。Ａｃ4は電子吸引性置換基、電子吸引性置換基を有するアリール基または電子欠損性ヘテロアリール基を表し、Ａｃ4は更に置換基を有していてもよい。環Ｚ41および環Ｚ44はそれぞれ独立にアリーレン基またはヘテロアリーレン基を表し、Ａ41は環Ｚ41を構成する炭素原子を表し、Ａ42は環Ｚ41を構成する炭素原子または窒素原子を表し、Ａ47は環Ｚ44を構成する炭素原子を表し、Ａ48は環Ｚ44を構成する炭素原子または窒素原子を表す。Ｒ2、Ｒ3、Ｒ7およびＲ8はそれぞれ独立に水素原子または置換基を表す。Ｌ41、Ｌ42、Ｌ43およびＬ44はそれぞれ独立に酸素原子、硫黄原子、ＣＲ42Ｒ43またはＳｉＲ44Ｒ45を表し、Ｒ42、Ｒ43、Ｒ44およびＲ45はそれぞれ独立に水素原子または置換基を表す。ｕ４１は０または１を表し、ｕ４１が０の場合にピレン環の＃位とＤｎ4は結合せず、ｕ４１が１の場合にピレン環、Ｄｎ4および環Ｚ41によって形成される環は芳香環ではない。ｔ４４は０または１を表し、ｔ４４が０の場合にピレン環の＃位とＤｎ4は結合せず、ｔ４４が１の場合にピレン環、Ｄｎ4および環Ｚ44によって形成される環は芳香環ではない。ｍ４１は０または１を表し、ｍ４１が０かつｕ４１が１のときピレン環の＃位と環Ｚ41は直接結合する。ｍ４４は０または１を表し、ｍ４４が０かつｔ４４が１のときピレン環の＃位と環Ｚ44は直接結合する。ｎ４２およびｑ４３は０または１を表し、ｎ４２およびｑ４３のいずれか一方は０であり、ｎ４２またはｑ４３が１の場合にピレン環、Ａｃ4およびＬ42またはＬ43によって形成される環はいずれも芳香環ではない。ｎ４２またはｑ４３が０の場合にピレン環の＊位とＡｃ4は結合しない。但し、Ａｃ4がピリジン環であるときｎ４２およびｑ４３のうち少なくとも一方は１である。）
【化５】
0006046884.tif 000006
（式中、Ｄｎ5はＮ原子、Ｏ原子またはＳ原子を表し、Ｄｎ5がＯ原子またはＳ原子を表す場合はｕ５１とｔ５４の和は０または１である。Ｄｎ5がＮ原子を表す場合にｕ５１とｔ５４の少なくとも一方が０を表すとき、あるいは、Ｄｎ5がＯ原子またはＳ原子を表す場合にｕ５１とｔ５４がともに０のときは、Ｄｎ5はさらに置換基を有する。Ａｃ5は電子吸引性置換基、電子吸引性置換基を有するアリール基または電子欠損性ヘテロアリール基を表し、Ａｃ5は更に置換基を有していてもよい。環Ｚ51および環Ｚ54はそれぞれ独立にアリーレン基またはヘテロアリーレン基を表し、Ａ51は環Ｚ51を構成する炭素原子を表し、Ａ52は環Ｚ51を構成する炭素原子または窒素原子を表し、Ａ57は環Ｚ54を構成する炭素原子を表し、Ａ58は環Ｚ54を構成する炭素原子または窒素原子を表す。Ｒ2、Ｒ6、Ｒ7およびＲ8はそれぞれ独立に水素原子または置換基を表す。Ｌ51、Ｌ52、Ｌ53およびＬ54はそれぞれ独立に酸素原子、硫黄原子、ＣＲ52Ｒ53またはＳｉＲ54Ｒ55を表し、Ｒ52、Ｒ53、Ｒ54およびＲ55はそれぞれ独立に水素原子または置換基を表す。ｕ５１は０または１を表し、ｕ５１が０の場合にピレン環の＃位とＤｎ5は結合せず、ｕ５１が１の場合にピレン環、Ｄｎ5および環Ｚ51によって形成される環は芳香環ではない。ｔ５４は０または１を表し、ｔ５４が０の場合にピレン環の＃位とＤｎ5は結合せず、ｔ５４が１の場合にピレン環、Ｄｎ5および環Ｚ54によって形成される環は芳香環ではない。ｍ５１は０または１を表し、ｍ５１が０かつｕ５１が１のときピレン環の＃位と環Ｚ51は直接結合する。ｍ５４は０または１を表し、ｍ５４が０かつｔ５４が１のときピレン環の＃位と環Ｚ54は直接結合する。ｎ５２およびｑ５３は０または１を表し、ｎ５２およびｑ５３のいずれか一方は０であり、ｎ５２またはｑ５３が１の場合にピレン環、Ａｃ5およびＬ52またはＬ53によって形成される環はいずれも芳香環ではない。ｎ５２またはｑ５３が０の場合にピレン環の＊位とＡｃ5は結合しない。但し、Ａｃ5がピリジン環であるときｎ５２およびｑ５３のうち少なくとも一方は１である。）
［５］  ［４］に記載の有機電界発光素子は、前記一般式（１）で表される化合物が、前記一般式（２）で表される化合物であることが好ましい。
［６］  ［５］に記載の有機電界発光素子は、前記一般式（２）で表される化合物が下記一般式（６）で表される化合物であることが好ましい。
【化６】
0006046884.tif 000007
（式中、Ｄｎ2AはＮＲ11A、Ｏ原子またはＳ原子を表し、ｕ２１が０を表すときは、Ｄｎ2Aはさらに置換基を有する。Ｒ11Aは置換基を表す。Ａｃ2は電子吸引性置換基、電子吸引性置換基を有するアリール基または電子欠損性ヘテロアリール基を表し、Ａｃ2は更に置換基を有していてもよい。環Ｚ21はアリーレン基またはヘテロアリーレン基を表し、Ａ21は環Ｚ21を構成する炭素原子を表し、Ａ22は環Ｚ21を構成する炭素原子または窒素原子を表す。Ｒ103、Ｒ104、Ｒ108、Ｒ109およびＲ110はそれぞれ独立に水素原子または置換基を表す。Ｌ21、Ｌ22およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2Aは結合せず、ｕ２１が１の場合にピレン環、Ｄｎ2Aおよび環Ｚ21によって形成される環は芳香環ではない。ｍ２１は０または１を表し、ｍ２１が０かつｕ２１が１のときピレン環の＃位と環Ｚ21は直接結合する。ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない。ｎ２２またはｑ２３が０の場合にピレン環の＊位とＡｃ2は結合しない。但し、Ａｃ2がピリジン環であるときｎ２２およびｑ２３のうち少なくとも一方は１である。）
［７］  ［６］に記載の有機電界発光素子は、前記一般式（６）で表される化合物が下記一般式（８）で表される化合物であることが好ましい。
【化７】
0006046884.tif 000008
（式中、Ｄｎ2AはＮＲ11A、Ｏ原子またはＳ原子を表し、ｕ２１が０を表すときは、Ｄｎ2Aはさらに置換基を有する。Ｒ11Aは置換基を表す。Ａｃ2Aは電子吸引性置換基、電子吸引性置換基を有するアリール基または電子欠損性ヘテロアリール基を表し、Ａｃ2Aは更に置換基を有していてもよい。環Ｚ21はアリーレン基またはヘテロアリーレン基を表し、Ａ21は環Ｚ21を構成する炭素原子を表し、Ａ22は環Ｚ21を構成する炭素原子または窒素原子を表す。Ｒ103、Ｒ104、Ｒ105、Ｒ108、Ｒ109およびＲ110はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2Aは結合せず、ｕ２１が１の場合にピレン環、Ｄｎ2Aおよび環Ｚ21によって形成される環は芳香環ではない。ｍ２１は０または１を表し、ｍ２１が０かつｕ２１が１のときピレン環の＃位と環Ｚ21は直接結合する。ｑ２３は０または１を表し、ｑ２３が１の場合にピレン環、Ａｃ2AおよびＬ23によって形成される環はいずれも芳香環ではない。ｑ２３が０の場合にピレン環の＊位とＡｃ2Aは結合しない。但し、Ａｃ2Aがピリジン環であるときｑ２３は１である。）
［８］  ［７］に記載の有機電界発光素子は、前記一般式（８）で表される化合物が下記一般式（１０）で表される化合物であることが好ましい。
【化８】
0006046884.tif 000009
（式中、Ｄｎ2AはＮＲ11A、Ｏ原子またはＳ原子を表し、Ｒ11Aは置換基を表す。Ａ22、Ａ23、Ａ24、Ａ25、Ａ26、Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。Ｒ103、Ｒ104、Ｒ105、Ｒ108、Ｒ109およびＲ110はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｍ２１は０または１を表し、ｍ２１が０のときピレン環の＃位とＡ22は直接結合する。ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
［９］  ［８］に記載の有機電界発光素子は、前記一般式（１０）で表される化合物が下記一般式（１２）で表される化合物であることが好ましい。
【化９】
0006046884.tif 000010
（式中、Ｄｎ2AはＮＲ11A、Ｏ原子またはＳ原子を表し、Ｒ11Aは置換基を表す。Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。Ｒ103、Ｒ104、Ｒ105、Ｒ108、Ｒ109、Ｒ110、Ｒ201、Ｒ202、Ｒ203およびＲ204はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｍ２１は０または１を表し、ｍ２１が０のとき＊＊位とピレン環の＃位は直接結合する。ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
［１０］  ［５］〜［９］のいずれか一項に記載の有機電界発光素子は、前記一般式（２）で表される化合物の前記ｑ２３が１であることが好ましい。
［１１］  ［４］に記載の有機電界発光素子は、前記一般式（１）で表される化合物が、前記一般式（３）で表される化合物であることが好ましい。
［１２］  ［１１］に記載の有機電界発光素子は、前記一般式（３）で表される化合物が下記一般式（７）で表される化合物であることが好ましい。
【化１０】
0006046884.tif 000011
（式中、Ｄｎ3AはＮＲ11B、Ｏ原子またはＳ原子を表し、ｕ３１が０を表すときは、Ｄｎ3Aはさらに置換基を有する。Ｒ11Bは置換基を表す。Ａｃ3は電子吸引性置換基、電子吸引性置換基を有するアリール基または電子欠損性ヘテロアリール基を表し、Ａｃ3は更に置換基を有していてもよい。環Ｚ31はアリーレン基またはヘテロアリーレン基を表し、Ａ31は環Ｚ31を構成する炭素原子を表し、Ａ32は環Ｚ31を構成する炭素原子または窒素原子を表す。Ｒ113、Ｒ114、Ｒ115、Ｒ116およびＲ120はそれぞれ独立に水素原子または置換基を表す。Ｌ31、Ｌ32およびＬ33はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3Aは結合せず、ｕ３１が１の場合にピレン環、Ｄｎ3Aおよび環Ｚ31によって形成される環は芳香環ではない。ｍ３１は０または１を表し、ｍ３１が０かつｕ３１が１のときピレン環の＃位と環Ｚ31は直接結合する。ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない。ｎ３２またはｑ３３が０の場合にピレン環の＊位とＡｃ3は結合しない。但し、Ａｃ3がピリジン環であるときｎ３２およびｑ３３のうち少なくとも一方は１である。）
［１３］  ［１２］に記載の有機電界発光素子は、前記一般式（７）で表される化合物が下記一般式（９）で表される化合物であることが好ましい。
【化１１】
0006046884.tif 000012
（式中、Ｄｎ3AはＮＲ11B、Ｏ原子またはＳ原子を表し、ｕ３１が０を表すときは、Ｄｎ3Aはさらに置換基を有する。Ｒ11Bは置換基を表す。Ａｃ3Aは電子吸引性置換基、電子吸引性置換基を有するアリール基または電子欠損性ヘテロアリール基を表し、Ａｃ3Aは更に置換基を有していてもよい。環Ｚ31はアリーレン基またはヘテロアリーレン基を表し、Ａ31は環Ｚ31を構成する炭素原子を表し、Ａ32は環Ｚ31を構成する炭素原子または窒素原子を表す。Ｒ113、Ｒ114、Ｒ115、Ｒ116、Ｒ119およびＲ120はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3Aは結合せず、ｕ３１が１の場合にピレン環、Ｄｎ3Aおよび環Ｚ31によって形成される環は芳香環ではない。ｍ３１は０または１を表し、ｍ３１が０かつｕ３１が１のときピレン環の＃位と環Ｚ31は直接結合する。ｎ３２は０または１を表し、ｎ３２が１の場合にピレン環、Ａｃ3AおよびＬ32によって形成される環はいずれも芳香環ではない。ｎ３２が０の場合にピレン環の＊位とＡｃ3Aは結合しない。但し、Ａｃ3Aがピリジン環であるときｎ３２は１である。）
［１４］  ［１３］に記載の有機電界発光素子は、前記一般式（９）で表される化合物が下記一般式（１１）で表される化合物であることが好ましい。
【化１２】
0006046884.tif 000013
（式中、Ｄｎ3AはＮＲ11B、Ｏ原子またはＳ原子を表し、Ｒ11Bは置換基を表す。Ａ32、Ａ33、Ａ34、Ａ35、Ａ36、Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。Ｒ113、Ｒ114、Ｒ115、Ｒ116、Ｒ119およびＲ120はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｍ３１は０または１を表し、ｍ３１が０のときピレン環の＃位とＡ32は直接結合する。ｎ３２は０または１を表し、ｎ３２が１の場合にピレン環、Ａｃ3AおよびＬ32によって形成される環はいずれも芳香環ではない。ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
［１５］  ［１４］に記載の有機電界発光素子は、前記一般式（１１）で表される化合物が下記一般式（１３）で表される化合物であることが好ましい。
【化１３】
0006046884.tif 000014
（式中、Ｄｎ3AはＮＲ11B、Ｏ原子またはＳ原子を表し、Ｒ11Bは置換基を表す。Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。Ｒ113、Ｒ114、Ｒ115、Ｒ116、Ｒ119、Ｒ120、Ｒ211、Ｒ212、Ｒ213およびＲ214はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｍ３１は０または１を表し、ｍ３１が０のとき＊＊位とピレン環の＃位は直接結合する。ｎ３２は０または１を表し、ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
［１６］  ［１］〜［１５］のいずれか一項に記載の有機電界発光素子は、前記一般式（３）で表される化合物の前記ｎ３２が１であることが好ましい。
［１７］  ［１］〜［１６］のいずれか一項に記載の有機電界発光素子は、前記一般式（１）で表される化合物の分子量が８００以下であることが好ましい。
［１８］  ［１］〜［１７］のいずれか一項に記載の有機電界発光素子は、前記一般式（１）で表される化合物を含む少なくとも一層の有機層が、前記発光層であることが好ましい。
［１９］  ［１］〜［１８］のいずれかに記載の有機電界発光素子は、前記一般式（１）で表される化合物が発光材料であることが好ましい。
［２０］  ［１］〜［１９］のいずれか一項に記載の有機電界発光素子は、前記発光層に、アントラセン系ホスト材料を含むことが好ましい。
［２１］  ［１］〜［２０］のいずれか一項に記載の有機電界発光素子は、前記発光層が真空蒸着プロセスにて形成されてなることが好ましい。
［２２］  ［１］〜［２０］に記載の有機電界発光素子は、前記発光層が湿式プロセスにて形成されてなることが好ましい。
［２３］  ［１］〜［２２］のいずれか一項に記載の有機電界発光素子を用いた発光装置。
［２４］  ［１］〜［２３］のいずれか一項に記載の有機電界発光素子を用いた表示装置。
［２５］  ［１］〜［２４］のいずれか一項に記載の有機電界発光素子を用いた照明装置。
［２６］  下記一般式（１）で表されることを特徴とする有機電界発光素子用材料。
【化１４】
0006046884.tif 000015
（式中、Ｃｙは構成環が３環以上の縮合芳香環構造を表し、Ｄｎ1とＡｃ1を異なる構成環に有し、各構成環はいずれも炭化水素環である。Ｄｎ1はＮＲ11、Ｏ原子またはＳ原子を表し、ｕ１が０の場合はさらに置換基を有する。Ｒ11は置換基を表し、Ｒ11はＣｙと結合して芳香環以外の環を形成してもよい。Ａｃ1は電子吸引性置換基、電子吸引性置換基を有するアリール基または電子欠損性ヘテロアリール基を表し、Ａｃ1は更に置換基を有していてもよい。環Ｚ1はアリーレン基またはヘテロアリーレン基を表し、Ａ11は環Ｚ1を構成する炭素原子を表し、Ａ12は環Ｚ1を構成する炭素原子または窒素原子を表す。Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に水素原子または置換基を表す。ｕ１は０または１を表し、ｕ１が１の場合にＣｙ、Ｄｎ1および環Ｚ1によって形成される環は芳香環ではない。ｍ１は０または１を表し、ｍ１が０かつｕ１が１のときＣｙと環Ｚ1は直接結合する。ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない。但し、Ａｃ1がピリジン環であるときｎ１およびｑ１のうち少なくとも一方は１である。）
【発明の効果】
【０００８】
本発明の有機電界発光素子は、発光効率が高くて、青色純度が優れており、駆動劣化に伴う色度変化が小さいという有利な効果を有する。また、本発明の化合物を用いれば、このような優れた有機電界発光素子を容易に製造することができる。さらに、本発明の発光装置、表示装置及び照明装置は、消費電力が小さく、青色純度が優れており、長時間使用しても色度が変わりにくいという有利な効果を有する。
【図面の簡単な説明】
【０００９】
【図１】本発明に係る有機電界発光素子の構成の一例を示す概略図である。
【図２】本発明に係る発光装置の一例を示す概略図である。
【図３】本発明に係る照明装置の一例を示す概略図である。
【発明を実施するための形態】
【００１０】
以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。
【００１１】
［一般式（１）で表される有機電界発光素子用材料］
本発明の有機電界発光素子は、基板と、該基板上に配置され、陽極及び陰極を含む一対の電極と、該電極間に配置され、発光層を含む少なくとも一層の有機層とを有し、前記有機層が下記一般式（１）で表される化合物を含むことを特徴とする。
【化１５】
0006046884.tif 000016
（式中、Ｃｙは構成環が３環以上の縮合芳香環構造を表し、Ｄｎ1とＡｃ1を異なる構成環に有し、各構成環はいずれも炭化水素環である。Ｄｎ1はＮＲ11、Ｏ原子またはＳ原子を表し、ｕ１が０の場合はさらに置換基を有する。Ｒ11は置換基を表し、Ｒ11はＣｙと結合して芳香環以外の環を形成してもよい。Ａｃ1は電子吸引性置換基、電子吸引性置換基を有するアリール基または電子欠損性ヘテロアリール基を表し、Ａｃ1は更に置換基を有していてもよい。環Ｚ1はアリーレン基またはヘテロアリーレン基を表し、Ａ11は環Ｚ1を構成する炭素原子を表し、Ａ12は環Ｚ1を構成する炭素原子または窒素原子を表す。Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に水素原子または置換基を表す。ｕ１は０または１を表し、ｕ１が１の場合にＣｙ、Ｄｎ1および環Ｚ1によって形成される環は芳香環ではない。ｍ１は０または１を表し、ｍ１が０かつｕ１が１のときＣｙと環Ｚ1は直接結合する。ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない。但し、Ａｃ1がピリジン環であるときｎ１およびｑ１のうち少なくとも一方は１である。）
【００１２】
本発明の有機電界発光素子は、有機層に前記一般式（１）で表される化合物を含有することにより、発光スペクトルがシャープ化して青色純度が良好になるという特徴を有する。本発明の有機電界発光素子は、前記一般式（１）で表される化合物を含む少なくとも一層の有機層が、前記発光層であることが好ましい。青色純度を良好にするためには、発光波長を短くすることも有用であることが知られている。しかしながら、発光材料の発光波長を短くすると、発光材料のＳ1（最低励起一重項エネルギー準位）が大きくなるため、発光材料のＳ1とホスト材料のＳ1との差が小さくなるか、あるいは発光材料のＳ1よりもホスト材料のＳ1が大きくなってしまう。このため発光効率が低下するとともに、ホスト材料の副発光が混じって青色純度が低下するという問題も生じる。これに対して、本発明にしたがって一般式（１）で表される化合物を用いれば、高い発光効率を実現させながら、スペクトルをシャープ化させることができて、青色純度を向上させることができる。
【００１３】
このような一般式（１）で表される化合物の発光スペクトルのシャープ化は、いかなる理論にも拘泥するものでもないが、まず、構成環が３環以上の縮合芳香環構造であり、各構成環がいずれも炭化水素環である骨格に対して、ＮＲ11、Ｏ原子またはＳ原子であるドナー置換基と、電子吸引性置換基、電子吸引性置換基を有するアリール基または電子欠損性ヘテロアリール基であるアクセプター置換基を、特定の態様で導入することにより、分子内の電荷の偏りにより基底状態と励起状態間の構造変化が小さくなり、従来知られていた化合物よりも発光スペクトルをシャープ化させることができる。このような化合物に類似する化合物として特開２０１１−７９８２２号公報にはピリジン環がピレン環に導入された化合物１３〜１５が記載されているが、このようなピリジン環を導入しても分子内の電荷分布の偏りに寄与するアクセプター基としては不十分であり、実際に発光スペクトルのシャープ化などの本発明の効果は不十分であった。
【００１４】
本発明の一般式（１）で表される化合物は、ホール（酸化）や電子（還元）に対して安定であり、電荷の注入・輸送性が高く、ピレン環同士の会合形成が起こりにくく、素子駆動による化学反応劣化も起こりにくい。このため、駆動劣化に伴う色度変化も起こりにくい。
【００１５】
以下において、一般式（１）で表される化合物について詳細に説明する。
本発明において、前記一般式（１）の説明における水素原子は同位体（重水素原子等）も含み、またさらに置換基を構成する原子は、その同位体も含んでいることを表す。
本発明において、「置換基」というとき、その置換基はさらに置換されていてもよい。例えば、本発明で「アルキル基」と言う時、フッ素原子で置換されたアルキル基（例えばトリフルオロメチル基）やアリール基で置換されたアルキル基（例えばトリフェニルメチル基）なども含むが、「炭素数１〜６のアルキル基」と言うとき、置換されたものも含めた全ての基として炭素数が１〜６であることを示す。
【００１６】
一般式（１）で表される化合物は、Ｃｙは構成環が３環以上の縮合芳香環構造を表し、Ｄｎ1とＡｃ1を異なる構成環に有し、各構成環はいずれも炭化水素環である。前記構成環が３環以上の縮合芳香環構造としては特に制限は無いが、本発明の有機電荷発光素子は、前記一般式（１）中、前記Ｃｙが置換基を有していてもよいピレン、クリセン、フルオランテン、フェナントレンで表されることが好ましく、置換基を有していてもよいピレンであることがより好ましい。
前記一般式（１）中、前記Ｃｙが置換基を有していてもよいピレンで表され、該ピレン骨格の２位、７位以外の位置にドナー基やアクセプター基を有することが好ましい。いかなる理論に拘泥するものでもないが、ＨＯＭＯ、ＬＵＭＯが存在しやすいピレン骨格の２位、７位以外の位置にＤｎ1とＡｃ1を有することが、本発明の効果に影響が大きい。本発明の有機電荷発光素子は、特にピレン骨格の１位または３位に前記Ｄｎ1または前記Ａｃ1のいずれか一方を有し、該ピレンの６位または８位に前記Ｄｎ1または前記Ａｃ1のうち残りの一方を有することが特に好ましい。
【００１７】
一般式（１）で表される化合物は、ＣｙがＤｎ1とＡｃ1以外のその他の置換基を有していてもよい。
前記Ｃｙが有していてもよいＤｎ1とＡｃ1以外のその他の置換基としては、以下の置換基群Ａが挙げられる。
《置換基群Ａ》
アルキル基（好ましくは炭素数１〜３０、より好ましくは炭素数１〜２０、特に好ましくは炭素数１〜１０であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。）、アシル基（好ましくは炭素数２〜３０、より好ましくは炭素数２〜２０、特に好ましくは炭素数２〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェニルオキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（芳香族ヘテロ環基も包含し、好ましくは炭素数１〜３０、より好ましくは炭素数１〜１２であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）、シリルオキシ基（好ましくは炭素数３〜４０、より好ましくは炭素数３〜３０、特に好ましくは炭素数３〜２４であり、例えばトリメチルシリルオキシ、トリフェニルシリルオキシなどが挙げられる。）、ホスホリル基（例えばジフェニルホスホリル基、ジメチルホスホリル基などが挙げられる。）が挙げられる。これらの置換基は更に置換されてもよく、更なる置換基としては、以上に説明した置換基群Ａから選択される基を挙げることができる。また、置換基に置換した置換基は更に置換されてもよく、さらなる置換基としては、以上に説明した置換基群Ａから選択される基を挙げることができる。また、置換基に置換した置換基に置換した置換基は更に置換されてもよく、さらなる置換基としては、以上に説明した置換基群Ａから選択される基を挙げることができる。
【００１８】
本発明の有機電界発光素子用材料は、前記一般式（１）におけるＣｙがピレン環であり、該ピレン環の２位、３位、４位、５位、７位、９位および１０位のうち少なくとも１つが置換基であることが好ましい。置換基をピレン環のこれらの位置に有することにより、前記一般式（１）で表される化合物同士の会合が発光層内で生じにくくなり、青色純度を高めることができる。
【００１９】
本発明の一般式（１）で表される有機電界発光素子用材料として用いられる化合物は、さらに会合抑制効果も有していることが、色純度改善の観点から好ましい。但し、このような会合抑制効果の大きさによって、本発明は限定されるものではない。前記一般式（１）で表される化合物がピレン系化合物である場合、ピレン系化合物はモノマー発光より長波長な会合発光（エキシマー発光）を生じやすいという性質を有しているため、会合発光により色純度の低下を招くこともある。本発明の一般式（１）で表される化合物がピレン系化合物である場合、会合抑制効果を有する置換基を有することで、ピレン環同士の会合を効果的に抑制するものと考えられる。
【００２０】
本発明の有機電界発光素子用材料は、２位、３位、４位、５位、７位、９位および１０位が、アルキル基、シリル基、アミノ基、フッ素原子、これらの基の少なくとも１つによって置換されたフェニル基またはピリジル基、あるいは、水素原子であることが好ましい。これらの特定の構造の置換基のみがピレン環のこれらの位置に置換していることにより、例えば無置換のフェニル基がこれらの位置に置換しているその他のピレン環化合物などよりも、会合を形成しにくくなり、駆動色度変化を小さくすることができる。
本発明の有機電界発光素子用材料は、２位、３位、４位、５位、７位、９位および１０位のうち少なくとも１つが、アルキル基、シリル基、アミノ基、フッ素原子、および、これらの基の少なくとも１つによって置換されたフェニル基またはピリジル基のいずれかの置換基であることがより好ましい。
さらに、４位、５位、９位および１０位のうち少なくとも１つが、アルキル基、シリル基、アミノ基、フッ素原子、および、これらの基の少なくとも１つによって置換されたフェニル基またはピリジル基のいずれかの置換基であることが特に好ましい。
【００２１】
なお、本発明の有機電界発光素子用材料は、前記Ｃｙが有していてもよいＤｎ1とＡｃ1以外のその他の置換基どうしは共同して環を形成していないことが好ましい。但し、本発明の趣旨に反しない限りにおいて、前記Ｃｙが有していてもよいＤｎ1とＡｃ1以外のその他の置換基のうち隣り合う２つは共同して５または６員環を形成していてもよい。形成される５または６員環は、シクロアルケニル環、ベンゼン環、ヘテロアリール環のいずれであってもよい。ヘテロアリール環としては、環を構成する原子の中に、窒素原子、酸素原子および硫黄原子からなる群より選択されるヘテロ原子を１〜３個含むものを挙げることができる。具体的には、ピリジン環、ピラジン環、ピリダジン環、ピリミジン環、イミダゾール環、オキサゾール環、チアゾール環、ピラゾール環、チオフェン環、フラン環などを例示することができる。形成される５または６員環は置換基を有していてもよく、炭素原子上の置換基としては上記の置換基群Ａが挙げられ、窒素原子上の置換基については上記の置換基群Ｂが挙げられる。
【００２２】
前記一般式（１）で表される化合物は、Ｃｙがピレン環であり、該ピレン環がＤｎ1とＡｃ1以外にアルキル基、シリル基、アミノ基、フッ素原子、これらの基の少なくとも１つによって置換されたアリール基または含窒素ヘテロ環基によって、少なくとも１箇所（すなわち、Ｄｎ1とＡｃ1を含めると少なくとも３箇所）が置換された化合物であることが、ピレン系化合物同士の会合を抑制できる観点から好ましい。該アリール基や該含窒素ヘテロ環基の環員数に制限はないが、会合抑制の観点からは環員数がある程度小さい方が好ましく、環員数５〜１２であることが好ましく、６〜１０であることがより好ましい。
さらに、前記一般式（１）で表される化合物は、Ｃｙがピレン環であり、該ピレン環がＤｎ1とＡｃ1以外にアルキル基、シリル基、アミノ基、フッ素原子、これらの基の少なくとも１つによって置換されたフェニル基またはピリジル基によってピレン環のうち少なくとも１箇所が置換された化合物であることがピレン系化合物同士の会合を抑制できる観点から好ましく、これらの置換基のいずれかによって１〜３箇所（すなわち、Ｄｎ1とＡｃ1を含めると３〜５箇所）が置換された化合物であることがより好ましく、これらの置換基のいずれかによって１または２箇所（すなわち、Ｄｎ1とＡｃ1を含めると３または４箇所）が置換された化合物であることが特に好ましく、これらの置換基のいずれかによって２箇所（すなわち、Ｄｎ1とＡｃ1を含めると４箇所）が置換された化合物であることがより特に好ましい。
この中でも、前記一般式（１）で表される化合物は、Ｃｙがピレン環であり、該ピレン環がＤｎ1とＡｃ1以外に少なくとも１つのオルトアルキル置換フェニル基を有することが、色純度を低下させることなく、化学的に安定で、会合抑制効果が高い観点から、さらに好ましい。前記オルトアルキル置換フェニル基がｏ−トリル基、２，６−キシリル基およびメシチル基のいずれかであることがよりさらに好ましい。
【００２３】
前記一般式（１）中、Ｄｎ1はＮＲ11、Ｏ原子またはＳ原子を表し、ｕ１が０の場合はさらに置換基を有する。該置換基としては、後述の置換基群Ｂをあげることができる。
Ｒ11は置換基を表し、Ｒ11はＣｙと結合して芳香環以外の環を形成してもよい。前記Ｒ11（窒素原子上の置換基）として、以下の置換基群Ｂを挙げることができる。
《置換基群Ｂ》
アルキル基（好ましくは炭素数１〜３０、より好ましくは炭素数１〜２０、特に好ましくは炭素数１〜１０であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチル、アントラニルなどが挙げられる。）、シアノ基、ヘテロ環基（芳香族ヘテロ環基も包含し、好ましくは炭素数１〜３０、より好ましくは炭素数１〜１２であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレノフェニル、テルロフェニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。）これらの置換基は更に置換されてもよく、更なる置換基としては、前記置換基群Ｂから選択される基を挙げることができる。また、置換基に置換した置換基は更に置換されてもよく、さらなる置換基としては、以上に説明した置換基群Ｂから選択される基を挙げることができる。また、置換基に置換した置換基に置換した置換基は更に置換されてもよく、さらなる置換基としては、以上に説明した置換基群Ｂから選択される基を挙げることができる。
前記Ｒ11は、アルキル基、ペルフルオロアルキル基、アリール基、ヘテロアリール基、フッ素原子であることが好ましく、炭素数１〜１０の直鎖、分枝または環状のアルキル基；炭素数６〜５０のアリール基；炭素数５〜２０であり、ヘテロ原子としてＮ、ＯおよびＳのいずれかを少なくとも１つ含むヘテロアリール基；のいずれかであることがより好ましい。前記Ｒ11は炭素数６〜１４のアリール基であることが特に好ましく、炭素数６〜１４のアリール基であって該アリール基が炭素数１〜１０の直鎖または分枝のアルキル基で置換されていることがより特に好ましく、炭素数６のアルキル基であって該アリール基が炭素数１〜１０の直鎖または分枝のアルキル基で置換されていることがさらにより特に好ましい。素数６〜１４のアリール基が有していてもよい炭素数１〜１０の直鎖または分枝のアルキル基としては、例えばメチル、エチル、イソプロピル、ｔ−ブチル、ｎ−オクチル、ｎ−デシルなどが好ましく、メチル、イソプロピル、ｔ−ブチルがより好ましい。
【００２４】
Ａｃ1は電子吸引性置換基、電子吸引性置換基を有するアリール基または電子欠損性ヘテロアリール基を表し、Ａｃ1は更に置換基を有していてもよい。ここで本明細書中、前記電子吸引性置換基とは、「Ｈａｍｍｅｔｔ則のσｐ値が０．０５よりも大きい置換基」のことを言う。
前記電子欠損性ヘテロアリール基とは、
「ヘテロ環化合物の化学」（講談社サイエンティフィク）第３頁〜４頁に記載されている様に、ヘテロアリール環内にある炭素原子のπ電子密度が１．００以下になるもの」のことを言う。
【００２５】
前記Ａｃ1としての前記電子吸引性置換基としては、ハロゲン原子（例えばフッ素原子）、シアノ基、トリフルオロメチル基などを挙げることができ、その中でもシアノ基が好ましい。
【００２６】
前記Ａｃ1としての前記電子吸引性置換基を有するアリール基としては、炭素数６〜１０のアリール基に電子吸引性置換基が置換した基であることが好ましく、炭素数６のアリール基に電子吸引性置換基が置換した基であることが好ましい。前記電子吸引性置換基を有するアリール基の電子気吸引性置換基としては、前記Ａｃ1としての前記電子吸引性置換基と同様であり、好ましい範囲も同様である。
【００２７】
前記Ａｃ1としての前記電子欠損性ヘテロアリール基としては、環員数６〜１４のＮ原子含有へテロアリール基であることが好ましく、環員数６〜１４のＮ原子含有へテロアリール基であることがより好ましく、環員数６のＮ原子含有ヘテロアリール基であることが特に好ましい。
また、前記電子欠損性ヘテロアリール基は、アルキル基（さらにフッ素原子で置換されていてもよい）またはシリル基（さらにアルキル基で置換されていてもよく、好ましい範囲は前記）で置換されていることが好ましい。アルキル基またはシリル基を有することにより、色純度を低下させることなく化合物の化学的安定性が向上し、駆動色度変化が起こりにくくなる。このときのアルキル基としてはＲ11がアリール基であるときに有していてもよいアルキル基と同様であり、好ましい範囲も同様である。
【００２８】
前記Ａｃ1は電子吸引性置換基を有するアリール基または電子欠損性ヘテロアリール基であることが好ましい。
【００２９】
環Ｚ1はアリーレン基またはヘテロアリーレン基を表し、Ａ11は環Ｚ1を構成する炭素原子を表し、Ａ12は環Ｚ1を構成する炭素原子または窒素原子を表す。
【００３０】
Ｌ1、Ｌ2およびＬ3はそれぞれ独立に酸素原子、硫黄原子、ＣＲ12Ｒ13またはＳｉＲ14Ｒ15を表し、Ｒ12、Ｒ13、Ｒ14およびＲ15はそれぞれ独立に水素原子または置換基を表す。
ＣＲ12Ｒ13は、その炭素原子が一般式（１）で表される化合物の環の構成原子となり、Ｒ12とＲ13はその炭素原子に結合する水素原子または置換基を表す。Ｒ12とＲ13は同一であっても異なっていてもよい。また、Ｒ12とＲ13は共同して５または６員環を形成していてもよい。
ＳｉＲ14Ｒ15はその珪素原子が一般式（１）で表される化合物の環の構成原子となり、Ｒ14Ｒ15はその珪素原子に結合する水素原子または置換基を表す。Ｒ14Ｒ15は同一であっても異なっていてもよい。また、Ｒ14Ｒ15は共同して５または６員環を形成していてもよい。
【００３１】
Ｒ12、Ｒ13、Ｒ14およびＲ15（炭素原子上の置換基および珪素原子上の置換基）として、前記の置換基群Ａを挙げることができる。
Ｒ12、Ｒ13、Ｒ14およびＲ15はそれぞれ独立に、好ましくはアルキル基、アリール基、ヘテロアリール基、ペルフルオロアルキル基、アルコキシ基、フッ素原子であり、より好ましくはアルキル基、アリール基およびヘテロアリール基である。Ｒ12、Ｒ13、Ｒ14およびＲ15はそれぞれ独立に炭素数１〜１０の直鎖、分枝または環状のアルキル基；炭素数６〜１４のアリール基；炭素数５〜２０であり、ヘテロ原子としてＮ、ＯおよびＳのいずれかを少なくとも１つ含むヘテロアリール基；のいずれかであることが特に好ましく、炭素数１〜６の直鎖または分枝のアルキル基であることがより特に好ましい。また、合成容易性の観点からは、Ｒ12およびＲ13が同じ置換基であることが好ましい。また、同様の観点からＲ14およびＲ15が同じ置換基であることが好ましい。
【００３２】
Ｒ12、Ｒ13、Ｒ14およびＲ15は共同して５または６員環を形成していてもよい。形成される５または６員環は、シクロアルキル環、シクロアルケニル環、ヘテロ環のいずれであってもよい。ヘテロ環としては、環を構成する原子の中に、窒素原子、酸素原子および硫黄原子からなる群より選択されるヘテロ原子を１〜３個含むものを挙げることができる。形成される５または６員環は置換基を有していてもよく、炭素原子上の置換基としては前述の置換基群Ａ、窒素原子上の置換基については前述の置換基群Ｂが挙げられる。
【００３３】
本発明では、前記一般式（１）において、Ｌ1、Ｌ2およびＬ3はそれぞれ独立にＣＲ12Ｒ13およびＯのいずれかであることが好ましく、ＣＲ12Ｒ13であることが発光色の観点からより好ましい。
【００３４】
前記一般式（１）において、ｕ１は０または１を表し、ｕ１が１の場合にＣｙ、Ｄｎ1および環Ｚ1によって形成される環は芳香環ではない。ｕ１は１であることが好ましい。
【００３５】
前記一般式（１）において、ｍ１は０または１を表し、ｍ１が０かつｕ１が１のときＣｙと環Ｚ1は直接結合する。ｍ１は、前記Ｄｎ1がＮＲ11であるときは０であることが好ましく、前記Ｄｎ1がＯ原子またはＳ原子であるときは１であることが好ましい。その中でも、前記Ｄｎ1がＮＲ11であって、前記ｍ１が０である組み合わせがより好ましい。
【００３６】
前記一般式（１）において、ｎ１およびｑ１は０または１を表し、ｎ１およびｑ１のいずれか一方は０であり、ｎ１またはｑ１が１の場合にＣｙ、Ａｃ1およびＬ2またはＬ3によって形成される環はいずれも芳香環ではない。但し、Ａｃ1がピリジン環であるときｎ１およびｑ１のうち少なくとも一方は１である。
【００３７】
本発明の有機電界発光素子は、前記一般式（１）で表される化合物が下記一般式（２）〜一般式（５）のいずれかで表される化合物であることが好ましい。以下、一般式（２）〜一般式（５）の各一般式について説明する。
【化１６】
0006046884.tif 000017
（式中、Ｄｎ2はＮ原子、Ｏ原子またはＳ原子を表し、Ｄｎ2がＯ原子またはＳ原子を表す場合はｕ２１とｔ２４の和は０または１である。Ｄｎ2がＮ原子を表す場合にｕ２１とｔ２４の少なくとも一方が０を表すとき、あるいは、Ｄｎ2がＯ原子またはＳ原子を表す場合にｕ２１とｔ２４がともに０のときは、Ｄｎ2はさらに置換基を有する。Ａｃ2は電子吸引性置換基、電子吸引性置換基を有するアリール基または電子欠損性ヘテロアリール基を表し、Ａｃ2は更に置換基を有していてもよい。環Ｚ21および環Ｚ24はそれぞれ独立にアリーレン基またはヘテロアリーレン基を表し、Ａ21は環Ｚ21を構成する炭素原子を表し、Ａ22は環Ｚ21を構成する炭素原子または窒素原子を表し、Ａ27は環Ｚ24を構成する炭素原子を表し、Ａ28は環Ｚ24を構成する炭素原子または窒素原子を表す。Ｒ103、Ｒ104、Ｒ108およびＲ109はそれぞれ独立に水素原子または置換基を表す。Ｌ21、Ｌ22、Ｌ23およびＬ24はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2は結合せず、ｕ２１が１の場合にピレン環、Ｄｎ2および環Ｚ21によって形成される環は芳香環ではない。ｔ２４は０または１を表し、ｔ２４が０の場合にピレン環の＃位とＤｎ2は結合せず、ｔ２４が１の場合にピレン環、Ｄｎ2および環Ｚ24によって形成される環は芳香環ではない。ｍ２１は０または１を表し、ｍ２１が０かつｕ２１が１のときピレン環の＃位と環Ｚ21は直接結合する。ｓ２４は０または１を表し、ｓ２４が０かつｕ２４が１のときピレン環の＃位と環Ｚ24は直接結合する。ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない。ｎ２２またはｑ２３が０の場合にピレン環の＊位とＡｃ2は結合しない。但し、Ａｃ2がピリジン環であるときｎ２２およびｑ２３のうち少なくとも一方は１である。）
【００３８】
【化１７】
0006046884.tif 000018
（式中、Ｄｎ3はＮ原子、Ｏ原子またはＳ原子を表し、Ｄｎ3がＯ原子またはＳ原子を表す場合はｕ３１とｔ３４の和は０または１である。Ｄｎ3がＮ原子を表す場合にｕ３１とｔ３４の少なくとも一方が０を表すとき、あるいは、Ｄｎ3がＯ原子またはＳ原子を表す場合にｕ３１とｔ３４がともに０のときは、Ｄｎ3はさらに置換基を有する。Ａｃ3は電子吸引性置換基、電子吸引性置換基を有するアリール基または電子欠損性ヘテロアリール基を表し、Ａｃ3は更に置換基を有していてもよい。環Ｚ31および環Ｚ34はそれぞれ独立にアリーレン基またはヘテロアリーレン基を表し、Ａ31は環Ｚ31を構成する炭素原子を表し、Ａ32は環Ｚ31を構成する炭素原子または窒素原子を表し、Ａ37は環Ｚ34を構成する炭素原子を表し、Ａ38は環Ｚ34を構成する炭素原子または窒素原子を表す。Ｒ113、Ｒ114、Ｒ115およびＲ116はそれぞれ独立に水素原子または置換基を表す。Ｌ31、Ｌ32、Ｌ33およびＬ34はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3は結合せず、ｕ３１が１の場合にピレン環、Ｄｎ3および環Ｚ31によって形成される環は芳香環ではない。ｔ３４は０または１を表し、ｔ３４が０の場合にピレン環の＃位とＤｎ3は結合せず、ｔ３４が１の場合にピレン環、Ｄｎ3および環Ｚ34によって形成される環は芳香環ではない。ｍ３１は０または１を表し、ｍ３１が０かつｕ３１が１のときピレン環の＃位と環Ｚ31は直接結合する。ｍ３４は０または１を表し、ｍ３４が０かつｔ３４が１のときピレン環の＃位と環Ｚ34は直接結合する。ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない。ｎ３２またはｑ３３が０の場合にピレン環の＊位とＡｃ3は結合しない。但し、Ａｃ3がピリジン環であるときｎ３２およびｑ３３のうち少なくとも一方は１である。）
【化１８】
0006046884.tif 000019
（式中、Ｄｎ4はＮ原子、Ｏ原子またはＳ原子を表し、Ｄｎ4がＯ原子またはＳ原子を表す場合はｕ４１とｔ４４の和は０または１である。Ｄｎ4がＮ原子を表す場合にｕ４１とｔ４４の少なくとも一方が０を表すとき、あるいは、Ｄｎ4がＯ原子またはＳ原子を表す場合にｕ４１とｔ４４がともに０のときは、Ｄｎ4はさらに置換基を有する。Ａｃ4は電子吸引性置換基、電子吸引性置換基を有するアリール基または電子欠損性ヘテロアリール基を表し、Ａｃ4は更に置換基を有していてもよい。環Ｚ41および環Ｚ44はそれぞれ独立にアリーレン基またはヘテロアリーレン基を表し、Ａ41は環Ｚ41を構成する炭素原子を表し、Ａ42は環Ｚ41を構成する炭素原子または窒素原子を表し、Ａ47は環Ｚ44を構成する炭素原子を表し、Ａ48は環Ｚ44を構成する炭素原子または窒素原子を表す。Ｒ2、Ｒ3、Ｒ7およびＲ8はそれぞれ独立に水素原子または置換基を表す。Ｌ41、Ｌ42、Ｌ43およびＬ44はそれぞれ独立に酸素原子、硫黄原子、ＣＲ42Ｒ43またはＳｉＲ44Ｒ45を表し、Ｒ42、Ｒ43、Ｒ44およびＲ45はそれぞれ独立に水素原子または置換基を表す。ｕ４１は０または１を表し、ｕ４１が０の場合にピレン環の＃位とＤｎ4は結合せず、ｕ４１が１の場合にピレン環、Ｄｎ4および環Ｚ41によって形成される環は芳香環ではない。ｔ４４は０または１を表し、ｔ４４が０の場合にピレン環の＃位とＤｎ4は結合せず、ｔ４４が１の場合にピレン環、Ｄｎ4および環Ｚ44によって形成される環は芳香環ではない。ｍ４１は０または１を表し、ｍ４１が０かつｕ４１が１のときピレン環の＃位と環Ｚ41は直接結合する。ｍ４４は０または１を表し、ｍ４４が０かつｔ４４が１のときピレン環の＃位と環Ｚ44は直接結合する。ｎ４２およびｑ４３は０または１を表し、ｎ４２およびｑ４３のいずれか一方は０であり、ｎ４２またはｑ４３が１の場合にピレン環、Ａｃ4およびＬ42またはＬ43によって形成される環はいずれも芳香環ではない。ｎ４２またはｑ４３が０の場合にピレン環の＊位とＡｃ4は結合しない。但し、Ａｃ4がピリジン環であるときｎ４２およびｑ４３のうち少なくとも一方は１である。）
【化１９】
0006046884.tif 000020
（式中、Ｄｎ5はＮ原子、Ｏ原子またはＳ原子を表し、Ｄｎ5がＯ原子またはＳ原子を表す場合はｕ５１とｔ５４の和は０または１である。Ｄｎ5がＮ原子を表す場合にｕ５１とｔ５４の少なくとも一方が０を表すとき、あるいは、Ｄｎ5がＯ原子またはＳ原子を表す場合にｕ５１とｔ５４がともに０のときは、Ｄｎ5はさらに置換基を有する。Ａｃ5は電子吸引性置換基、電子吸引性置換基を有するアリール基または電子欠損性ヘテロアリール基を表し、Ａｃ5は更に置換基を有していてもよい。環Ｚ51および環Ｚ54はそれぞれ独立にアリーレン基またはヘテロアリーレン基を表し、Ａ51は環Ｚ51を構成する炭素原子を表し、Ａ52は環Ｚ51を構成する炭素原子または窒素原子を表し、Ａ57は環Ｚ54を構成する炭素原子を表し、Ａ58は環Ｚ54を構成する炭素原子または窒素原子を表す。Ｒ2、Ｒ6、Ｒ7およびＲ8はそれぞれ独立に水素原子または置換基を表す。Ｌ51、Ｌ52、Ｌ53およびＬ54はそれぞれ独立に酸素原子、硫黄原子、ＣＲ52Ｒ53またはＳｉＲ54Ｒ55を表し、Ｒ52、Ｒ53、Ｒ54およびＲ55はそれぞれ独立に水素原子または置換基を表す。ｕ５１は０または１を表し、ｕ５１が０の場合にピレン環の＃位とＤｎ5は結合せず、ｕ５１が１の場合にピレン環、Ｄｎ5および環Ｚ51によって形成される環は芳香環ではない。ｔ５４は０または１を表し、ｔ５４が０の場合にピレン環の＃位とＤｎ5は結合せず、ｔ５４が１の場合にピレン環、Ｄｎ5および環Ｚ54によって形成される環は芳香環ではない。ｍ５１は０または１を表し、ｍ５１が０かつｕ５１が１のときピレン環の＃位と環Ｚ51は直接結合する。ｍ５４は０または１を表し、ｍ５４が０かつｔ５４が１のときピレン環の＃位と環Ｚ54は直接結合する。ｎ５２およびｑ５３は０または１を表し、ｎ５２およびｑ５３のいずれか一方は０であり、ｎ５２またはｑ５３が１の場合にピレン環、Ａｃ5およびＬ52またはＬ53によって形成される環はいずれも芳香環ではない。ｎ５２またはｑ５３が０の場合にピレン環の＊位とＡｃ5は結合しない。但し、Ａｃ5がピリジン環であるときｎ５２およびｑ５３のうち少なくとも一方は１である。）
【００３９】
一般式（２）におけるＤｎ2、Ａｃ2の説明と好ましい範囲は、それぞれ前記一般式（１）におけるＤｎ1、Ａｃ1の説明と好ましい範囲と同じである。一般式（２）における環Ｚ21、環Ｚ24、Ａ21、Ａ22、Ａ27、Ａ28の説明と好ましい範囲は、それぞれ前記一般式（１）における環Ｚ1、Ａ11、Ａ12の説明と好ましい範囲と同じである。一般式（２）におけるＬ21、Ｌ24の説明と好ましい範囲は、前記一般式（１）におけるＬ1の説明と好ましい範囲と同じである。一般式（２）におけるｕ２１、ｔ２４の説明と好ましい範囲は、前記一般式（１）におけるｕ１の説明と好ましい範囲と同じである。一般式（２）におけるｍ２１、ｓ２４の説明と好ましい範囲は、前記一般式（１）におけるｍ１の説明と好ましい範囲と同じである。一般式（２）におけるＬ22、Ｌ23、ｎ２２、ｑ２３の説明と好ましい範囲は、それぞれ前記一般式（１）におけるＬ2、Ｌ3、ｎ１、ｑ１の説明と好ましい範囲と同じである。一般式（２）におけるＲ103、Ｒ104、Ｒ108およびＲ109がそれぞれ置換基を表す場合における該置換基の範囲は、前記一般式（１）におけるＣｙが有していてもよいＤｎ1とＡｃ1以外のその他の置換基の範囲と同様であり、その中でも、Ｒ103、Ｒ104、Ｒ108およびＲ109がピレン骨格を含まないことが好ましい。
【００４０】
一般式（３）におけるＤｎ3、Ａｃ3の説明と好ましい範囲は、それぞれ前記一般式（１）におけるＤｎ1、Ａｃ1の説明と好ましい範囲と同じである。一般式（３）における環Ｚ31、環Ｚ34、Ａ31、Ａ32、Ａ37、Ａ38の説明と好ましい範囲は、それぞれ前記一般式（１）における環Ｚ1、Ａ11、Ａ12の説明と好ましい範囲と同じである。一般式（３）におけるＬ31、Ｌ34の説明と好ましい範囲は、前記一般式（１）におけるＬ1の説明と好ましい範囲と同じである。一般式（３）におけるｕ３１、ｔ３４の説明と好ましい範囲は、前記一般式（１）におけるｕ１の説明と好ましい範囲と同じである。一般式（３）におけるｍ３１、ｓ３４の説明と好ましい範囲は、前記一般式（１）におけるｍ１の説明と好ましい範囲と同じである。一般式（３）におけるＬ32、Ｌ33、ｎ３２、ｑ３３の説明と好ましい範囲は、それぞれ前記一般式（１）におけるＬ2、Ｌ3、ｎ１、ｑ１の説明と好ましい範囲と同じである。一般式（３）におけるＲ113、Ｒ114、Ｒ115およびＲ116がそれぞれ置換基を表す場合における該置換基の範囲は、前記一般式（１）におけるＣｙが有していてもよいＤｎ1とＡｃ1以外のその他の置換基の範囲と同様であり、その中でも、Ｒ113、Ｒ114、Ｒ115およびＲ116がピレン骨格を含まないことが好ましい。
【００４１】
一般式（４）におけるＤｎ4、Ａｃ4の説明と好ましい範囲は、それぞれ前記一般式（１）におけるＤｎ1、Ａｃ1の説明と好ましい範囲と同じである。一般式（４）における環Ｚ41、環Ｚ44、Ａ41、Ａ42、Ａ47、Ａ48の説明と好ましい範囲は、それぞれ前記一般式（１）における環Ｚ1、Ａ11、Ａ12の説明と好ましい範囲と同じである。一般式（４）におけるＬ41、Ｌ44の説明と好ましい範囲は、前記一般式（１）におけるＬ1の説明と好ましい範囲と同じである。一般式（４）におけるｕ４１、ｔ４４の説明と好ましい範囲は、前記一般式（１）におけるｕ１の説明と好ましい範囲と同じである。一般式（４）におけるｍ４１、ｓ４４の説明と好ましい範囲は、前記一般式（１）におけるｍ１の説明と好ましい範囲と同じである。一般式（４）におけるＬ42、Ｌ43、ｎ４２、ｑ４３の説明と好ましい範囲は、それぞれ前記一般式（１）におけるＬ2、Ｌ3、ｎ１、ｑ１の説明と好ましい範囲と同じである。一般式（４）におけるＲ122、Ｒ123、Ｒ127およびＲ128がそれぞれ置換基を表す場合における該置換基の範囲は、前記一般式（１）におけるＣｙが有していてもよいＤｎ1とＡｃ1以外のその他の置換基の範囲と同様であり、その中でも、Ｒ122、Ｒ123、Ｒ127およびＲ128がピレン骨格を含まないことが好ましい。
【００４２】
一般式（５）におけるＤｎ5、Ａｃ5の説明と好ましい範囲は、それぞれ前記一般式（１）におけるＤｎ1、Ａｃ1の説明と好ましい範囲と同じである。一般式（５）における環Ｚ51、環Ｚ54、Ａ51、Ａ52、Ａ57、Ａ58の説明と好ましい範囲は、それぞれ前記一般式（１）における環Ｚ1、Ａ11、Ａ12の説明と好ましい範囲と同じである。一般式（５）におけるＬ51、Ｌ54の説明と好ましい範囲は、前記一般式（１）におけるＬ1の説明と好ましい範囲と同じである。一般式（５）におけるｕ５１、ｔ５４の説明と好ましい範囲は、前記一般式（１）におけるｕ１の説明と好ましい範囲と同じである。一般式（５）におけるｍ５１、ｓ５４の説明と好ましい範囲は、前記一般式（１）におけるｍ１の説明と好ましい範囲と同じである。一般式（５）におけるＬ52、Ｌ53、ｎ５２、ｑ５３の説明と好ましい範囲は、それぞれ前記一般式（１）におけるＬ2、Ｌ3、ｎ１、ｑ１の説明と好ましい範囲と同じである。一般式（５）におけるＲ132、Ｒ136、Ｒ137およびＲ138がそれぞれ置換基を表す場合における該置換基の範囲は、前記一般式（１）におけるＣｙが有していてもよいＤｎ1とＡｃ1以外のその他の置換基の範囲と同様であり、その中でも、Ｒ132、Ｒ136、Ｒ137およびＲ138がピレン骨格を含まないことが好ましい。
【００４３】
本発明の有機電界発光素子は、前記一般式（１）で表される化合物が、前記一般式（２）〜一般式（５）の中でも前記一般式（２）または一般式（３）で表される化合物であることがより好ましい。以下、前記一般式（２）で表される化合物と、一般式（３）で表される化合物のさらに好ましい構造について説明する。
【００４４】
（一般式（２）で表される化合物）
本発明の有機電界発光素子は、前記一般式（２）において、前記ｑ２３が１であることが好ましい。なお、この場合、ｎ２２は０となる。
【００４５】
前記一般式（２）で表される化合物は、下記一般式（６）で表される化合物であることが好ましい。
【化２０】
0006046884.tif 000021
（式中、Ｄｎ2AはＮＲ11A、Ｏ原子またはＳ原子を表し、ｕ２１が０を表すときは、Ｄｎ2Aはさらに置換基を有する。Ｒ11Aは置換基を表す。Ａｃ2は電子吸引性置換基、電子吸引性置換基を有するアリール基または電子欠損性ヘテロアリール基を表し、Ａｃ2は更に置換基を有していてもよい。環Ｚ21はアリーレン基またはヘテロアリーレン基を表し、Ａ21は環Ｚ21を構成する炭素原子を表し、Ａ22は環Ｚ21を構成する炭素原子または窒素原子を表す。Ｒ103、Ｒ104、Ｒ108、Ｒ109およびＲ110はそれぞれ独立に水素原子または置換基を表す。Ｌ21、Ｌ22およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2Aは結合せず、ｕ２１が１の場合にピレン環、Ｄｎ2Aおよび環Ｚ21によって形成される環は芳香環ではない。ｍ２１は０または１を表し、ｍ２１が０かつｕ２１が１のときピレン環の＃位と環Ｚ21は直接結合する。ｎ２２およびｑ２３は０または１を表し、ｎ２２およびｑ２３のいずれか一方は０であり、ｎ２２またはｑ２３が１の場合にピレン環、Ａｃ2およびＬ22またはＬ23によって形成される環はいずれも芳香環ではない。ｎ２２またはｑ２３が０の場合にピレン環の＊位とＡｃ2は結合しない。但し、Ａｃ2がピリジン環であるときｎ２２およびｑ２３のうち少なくとも一方は１である。）
【００４６】
一般式（６）において、一般式（２）と同様の名称の基が表す範囲は、その基の一般式（２）における好ましい範囲と同様である。
一般式（６）におけるＤｎ2Aの説明と好ましい範囲は、それぞれ前記一般式（１）におけるＤｎ1の説明と好ましい範囲と同じである。一般式（６）におけるＤｎ2Aがさらに有していてもよい置換基としては、後述の一般式（１０）におけるＡ22、Ａ23、Ａ24、Ａ25およびＡ26が形成する環であり、後述する。
一般式（６）におけるＲ110が置換基を表す場合における該置換基の範囲は、前記一般式（１）におけるＣｙが有していてもよいＤｎ1とＡｃ1以外のその他の置換基の範囲と同様であり、ピレン骨格を含まないことが好ましい。
【００４７】
本発明の有機電界発光素子は、前記一般式（６）で表される化合物が下記一般式（８）で表される化合物であることが好ましい。
【化２１】
0006046884.tif 000022
（式中、Ｄｎ2AはＮＲ11A、Ｏ原子またはＳ原子を表し、ｕ２１が０を表すときは、Ｄｎ2Aはさらに置換基を有する。Ｒ11Aは置換基を表す。Ａｃ2Aは電子吸引性置換基、電子吸引性置換基を有するアリール基または電子欠損性ヘテロアリール基を表し、Ａｃ2Aは更に置換基を有していてもよい。環Ｚ21はアリーレン基またはヘテロアリーレン基を表し、Ａ21は環Ｚ21を構成する炭素原子を表し、Ａ22は環Ｚ21を構成する炭素原子または窒素原子を表す。Ｒ103、Ｒ104、Ｒ105、Ｒ108、Ｒ109およびＲ110はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｕ２１は０または１を表し、ｕ２１が０の場合にピレン環の＃位とＤｎ2Aは結合せず、ｕ２１が１の場合にピレン環、Ｄｎ2Aおよび環Ｚ21によって形成される環は芳香環ではない。ｍ２１は０または１を表し、ｍ２１が０かつｕ２１が１のときピレン環の＃位と環Ｚ21は直接結合する。ｑ２３は０または１を表し、ｑ２３が１の場合にピレン環、Ａｃ2AおよびＬ23によって形成される環はいずれも芳香環ではない。ｑ２３が０の場合にピレン環の＊位とＡｃ2Aは結合しない。但し、Ａｃ2Aがピリジン環であるときｑ２３は１である。）
【００４８】
一般式（８）において、一般式（６）と同様の名称の基が表す範囲は、その基の一般式（６）における好ましい範囲と同様である。
一般式（８）におけるＡｃ2Aの説明と好ましい範囲は、前記一般式（６）におけるＡｃ2の説明と好ましい範囲と同じである。一般式（８）におけるＡｃ2Aがさらに有していてもよい置換基としては、後述の一般式（１０）および（１２）におけるＡ61、Ａ62、Ａ63、Ａ64、Ａ65が形成する環がさらに有していてもよい置換基の範囲と同様であり、後述する。
一般式（８）におけるＲ105が置換基を表す場合における該置換基の範囲は、前記一般式（１）におけるＣｙが有していてもよいＤｎ1とＡｃ1以外のその他の置換基の範囲と同様であり、ピレン骨格を含まないことが好ましい。
【００４９】
本発明の有機電界発光素子は、前記一般式（８）で表される化合物が下記一般式（１０）で表される化合物であることが好ましい。
【化２２】
0006046884.tif 000023
（式中、Ｄｎ2AはＮＲ11A、Ｏ原子またはＳ原子を表し、Ｒ11Aは置換基を表す。Ａ22、Ａ23、Ａ24、Ａ25、Ａ26、Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。Ｒ103、Ｒ104、Ｒ105、Ｒ108、Ｒ109およびＲ110はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｍ２１は０または１を表し、ｍ２１が０のときピレン環の＃位とＡ22は直接結合する。ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
【００５０】
一般式（１０）において、一般式（８）と同様の名称の基が表す範囲は、その基の一般式（８）における好ましい範囲と同様である。
【００５１】
一般式（１０）におけるＡ22、Ａ23、Ａ24、Ａ25およびＡ26はそれぞれ独立にＣＲｚ（Ｒｚは水素原子または置換基を表し、隣り合う２つＣＲｚは共同して５または６員環を形成していてもよい）またはＮ原子を表す。
一般式（１０）におけるＡ22、Ａ23、Ａ24、Ａ25、Ａ26に含まれる窒素原子は１個以下であることが好ましく、０個であることがより好ましい。その場合におけるＡ22、Ａ23、Ａ24、Ａ25、Ａ26のうち、窒素原子の好ましい位置は特に限定されない。
【００５２】
Ａ22、Ａ23、Ａ24、Ａ25、Ａ26のうちの２つ以上がＣＲｚを表すとき、そのうちの隣り合う２つの炭素原子の有する各置換基（対応するＲｚどうし）は共同して５または６員環を形成しないことが本発明では好ましいが、共同して５または６員環を形成していてもよい。形成される５または６員環は、シクロアルケニル環、ベンゼン環、ヘテロアリール環のいずれであってもよい。ヘテロアリール環としては、環を構成する原子の中に、窒素原子、酸素原子および硫黄原子からなる群より選択されるヘテロ原子を１〜３個含むものを挙げることができる。具体的には、ピリジン環、ピラジン環、ピリダジン環、ピリミジン環、イミダゾール環、オキサゾール環、チアゾール環、ピラゾール環、チオフェン環、フラン環などを例示することができる。形成される５または６員環は置換基を有していてもよく、炭素原子上の置換基としては上記の置換基群Ａが挙げられ、窒素原子上の置換基については上記の置換基群Ｂが挙げられる。形成される５または６員環はベンゼン環であることが好ましく、無置換のベンゼン環であることがより好ましい。
【００５３】
Ａ22、Ａ23、Ａ24、Ａ25、Ａ26がＣＲｚを表すときのＲｚは、水素原子または置換基を表す。
Ａ22、Ａ23、Ａ24、Ａ25、Ａ26がＣＲｚを表すときのＲｚの置換基としては、上記の置換基群Ａを挙げることができる。Ａ22、Ａ23、Ａ24、Ａ25、Ａ26がＣＲｚを表すときのＲｚは、フッ素原子、アルキル基、シリル基、アリール基、アリールオキシ基、シアノ基、アミノ基のいずれかを有する置換基であることが好ましい。具体的には、フッ素原子、アルキル基、ペルフルオロアルキル基、トリアルキルシリル基、フェニル基、フェノキシ基、ジアリールアミノ基を挙げることができる。
前記Ａ22、Ａ23、Ａ24、Ａ25、Ａ26がＣＲｚを表すときのＲｚは水素原子、アルキル基、シリル基、アリール基、アリールオキシ基を表すことが好ましく、水素原子、アルキル基またはシリル基を表すことがより好ましく、水素原子またはアルキル基を表すことが特に好ましい。
Ａ22、Ａ23、Ａ24、Ａ25、Ａ26がＣＲｚを表すときのＲｚが表すアルキル基としては、無置換の直鎖アルキル基、無置換の分枝アルキル基、無置換のシクロアルキル基およびペルフルオロアルキル基が好ましく、炭素数１〜６の直鎖アルキル基、炭素数１〜６の分枝アルキル基および炭素数１〜６のペルフルオロアルキル基がより好ましく、メチル基、エチル基、イソプロピル基、ｔ−ブチル基、ｔ−アミル基、ネオペンチル基およびトリフルオロメチル基が特に好ましく、メチル基、エチル基、イソプロピル基およびｔ−ブチル基がより特に好ましい。
Ａ22、Ａ23、Ａ24、Ａ25、Ａ26がＣＲｚを表すときのＲｚが表すシリル基としては、アルキルシリル基が好ましく、トリアルキルシリル基がより好ましい。前記トリアルキルシリル基のアルキル基は、それぞれ独立に、メチル基、エチル基およびイソプロピル基が好ましく、メチル基がより好ましい。Ａ22、Ａ23、Ａ24、Ａ25、Ａ26がＣＲｚを表すときのＲｚのうち少なくとも１つが表すシリル基としては、トリメチルシリル基が特に好ましい。
【００５４】
一般式（１０）におけるＡ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。
一般式（１０）におけるＡ61、Ａ62、Ａ63、Ａ64およびＡ65のうち少なくとも１つは窒素原子であることが好ましく、その場合におけるＡ61、Ａ62、Ａ63、Ａ64およびＡ65のうち、窒素原子の好ましい位置は特に限定されない。
Ａ22、Ａ23、Ａ24、Ａ25、Ａ26のうち、窒素原子の数は１〜３であることが化合物の化学的安定性の観点から好ましく、２または３であることが青色純度をより高める観点からより好ましい。
【００５５】
含窒素芳香族ヘテロ環は、ヘテロ環を構成するＮ原子の隣の炭素原子が反応活性位であり、Ｎ原子の隣の炭素原子が置換基を有すると酸化還元および励起状態における化学的安定性が向上し、好ましい。Ｎ原子の両隣の炭素原子に置換基を有するとより好ましい。特にＮ原子の両隣の炭素原子にアルキル基（フッ化アルキル基も含む）またはシリル基を導入することで、色純度を低下させることなく酸化還元および励起状態における化学的安定性が向上し、駆動色度変化を小さくすることができ、さらに、アルキル基だとより安定する。このような観点から、前記一般式（１０）においてＡ61、Ａ63およびＡ65のうち少なくとも１つは窒素原子であり、かつ、Ａ62およびＡ64がそれぞれ独立してＣＲｚである場合が好ましい。この場合、Ａ62およびＡ64の有する置換基Ｒｚの少なくとも一方（好ましくはＡ62およびＡ64のうちＮ原子に隣接する方）がアルキル基またはシリル基であることが好ましく、アルキル基であることがより好ましい。なお、前記一般式（１０）においてＡ61、Ａ63およびＡ65がＣＲｚである場合、好ましいＲｚの範囲はＡ62およびＡ64の有する置換基Ｒｚの好ましい範囲と同様である。
【００５６】
本発明の有機電界発光素子は、前記一般式（１０）で表される化合物が下記一般式（１２）で表される化合物であることが好ましい。
【化２３】
0006046884.tif 000024
（式中、Ｄｎ2AはＮＲ11A、Ｏ原子またはＳ原子を表し、Ｒ11Aは置換基を表す。Ａ61、Ａ62、Ａ63、Ａ64およびＡ65はそれぞれ独立にＣＲｚ（Ｒｚは水素原子または置換基を表し、隣り合う２つＣＲｚは共同して５または６員環を形成していてもよい）またはＮ原子を表す。Ａ61、Ａ62、Ａ63、Ａ64およびＡ65がいずれもＮ原子ではない場合は、Ａ61、Ａ62、Ａ63、Ａ64およびＡ65の表すＣＲｚのうち少なくとも１つのＲｚが電子吸引性置換基を表す。Ｒ103、Ｒ104、Ｒ105、Ｒ108、Ｒ109、Ｒ110、Ｒ201、Ｒ202、Ｒ203およびＲ204はそれぞれ独立に水素原子または置換基を表す。Ｌ21およびＬ23はそれぞれ独立に酸素原子、硫黄原子、ＣＲ22Ｒ23またはＳｉＲ24Ｒ25を表し、Ｒ22、Ｒ23、Ｒ24およびＲ25はそれぞれ独立に水素原子または置換基を表す。ｍ２１は０または１を表し、ｍ２１が０のとき＊＊位とピレン環の＃位は直接結合する。ｑ２３は０または１を表し、ｑ２３が０の場合にピレン環の＊位とＡ65は結合しない。但し、Ａ61、Ａ62、Ａ63、Ａ64およびＡ65のうち１つのみがＮ原子である場合、ｑ２３は１を表す。）
【００５７】
一般式（１２）において、一般式（１０）と同様の名称の基が表す範囲は、その基の一般式（１０）における好ましい範囲と同様である。
【００５８】
一般式（１２）におけるＲ201、Ｒ202、Ｒ203およびＲ204はそれぞれ独立に水素原子または置換基を表す。Ｒ201、Ｒ202、Ｒ203およびＲ204が置換基を表す場合における該置換基としては、前記一般式（１０）におけるＡ22、Ａ23、Ａ24、Ａ25およびＡ26がＣＲｚを表す場合のＲｚの説明と同様である。一般式（１２）におけるＲ201、Ｒ202、Ｒ203およびＲ204のうち、置換基は０または１個であることが好ましい。
【００５９】
（一般式（３）で表される化合物）
本発明の有機電界発光素子は、前記一般式（１）で表される化合物が、前記一般式（３）で表される化合物であることも好ましい。
前記一般式（３）で表される化合物の前記ｎ３２が１であることが好ましい。
【００６０】
本発明の有機電界発光素子は、前記一般式（３）で表される化合物が下記一般式（７）で表される化合物であることが好ましい。
【化２４】
0006046884.tif 000025
（式中、Ｄｎ3AはＮＲ11B、Ｏ原子またはＳ原子を表し、ｕ３１が０を表すときは、Ｄｎ3Aはさらに置換基を有する。Ｒ11Bは置換基を表す。Ａｃ3は電子吸引性置換基、電子吸引性置換基を有するアリール基または電子欠損性ヘテロアリール基を表し、Ａｃ3は更に置換基を有していてもよい。環Ｚ31はアリーレン基またはヘテロアリーレン基を表し、Ａ31は環Ｚ31を構成する炭素原子を表し、Ａ32は環Ｚ31を構成する炭素原子または窒素原子を表す。Ｒ113、Ｒ114、Ｒ115、Ｒ116およびＲ120はそれぞれ独立に水素原子または置換基を表す。Ｌ31、Ｌ32およびＬ33はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3Aは結合せず、ｕ３１が１の場合にピレン環、Ｄｎ3Aおよび環Ｚ31によって形成される環は芳香環ではない。ｍ３１は０または１を表し、ｍ３１が０かつｕ３１が１のときピレン環の＃位と環Ｚ31は直接結合する。ｎ３２およびｑ３３は０または１を表し、ｎ３２およびｑ３３のいずれか一方は０であり、ｎ３２またはｑ３３が１の場合にピレン環、Ａｃ3およびＬ32またはＬ33によって形成される環はいずれも芳香環ではない。ｎ３２またはｑ３３が０の場合にピレン環の＊位とＡｃ3は結合しない。但し、Ａｃ3がピリジン環であるときｎ３２およびｑ３３のうち少なくとも一方は１である。）
【００６１】
一般式（７）において、一般式（３）と同様の名称の基が表す範囲は、その基の一般式（３）における好ましい範囲と同様である。
一般式（７）におけるＤｎ3Aの説明と好ましい範囲は、それぞれ前記一般式（１）におけるＤｎ1の説明と好ましい範囲と同じである。一般式（７）におけるＤｎ3Aがさらに有していてもよい置換基としては、後述の一般式（１１）におけるＡ32、Ａ33、Ａ34、Ａ35およびＡ36が形成する環であり、後述する。
一般式（７）におけるＲ120が置換基を表す場合における該置換基の範囲は、前記一般式（１）におけるＣｙが有していてもよいＤｎ1とＡｃ1以外のその他の置換基の範囲と同様であり、ピレン骨格を含まないことが好ましい。
【００６２】
本発明の有機電界発光素子は、前記一般式（７）で表される化合物が下記一般式（９）で表される化合物であることが好ましい。
【化２５】
0006046884.tif 000026
（式中、Ｄｎ3AはＮＲ11B、Ｏ原子またはＳ原子を表し、ｕ３１が０を表すときは、Ｄｎ3Aはさらに置換基を有する。Ｒ11Bは置換基を表す。Ａｃ3Aは電子吸引性置換基、電子吸引性置換基を有するアリール基または電子欠損性ヘテロアリール基を表し、Ａｃ3Aは更に置換基を有していてもよい。環Ｚ31はアリーレン基またはヘテロアリーレン基を表し、Ａ31は環Ｚ31を構成する炭素原子を表し、Ａ32は環Ｚ31を構成する炭素原子または窒素原子を表す。Ｒ113、Ｒ114、Ｒ115、Ｒ116、Ｒ119およびＲ120はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｕ３１は０または１を表し、ｕ３１が０の場合にピレン環の＃位とＤｎ3Aは結合せず、ｕ３１が１の場合にピレン環、Ｄｎ3Aおよび環Ｚ31によって形成される環は芳香環ではない。ｍ３１は０または１を表し、ｍ３１が０かつｕ３１が１のときピレン環の＃位と環Ｚ31は直接結合する。ｎ３２は０または１を表し、ｎ３２が１の場合にピレン環、Ａｃ3AおよびＬ32によって形成される環はいずれも芳香環ではない。ｎ３２が０の場合にピレン環の＊位とＡｃ3Aは結合しない。但し、Ａｃ3Aがピリジン環であるときｎ３２は１である。）
【００６３】
一般式（９）において、一般式（７）と同様の名称の基が表す範囲は、その基の一般式（７）における好ましい範囲と同様である。
一般式（９）におけるＡｃ3Aの説明と好ましい範囲は、前記一般式（７）におけるＡｃ3の説明と好ましい範囲と同じである。一般式（９）におけるＡｃ3Aがさらに有していてもよい置換基としては、後述の一般式（１１）および（１３）におけるＡ61、Ａ62、Ａ63、Ａ64、Ａ65が形成する環がさらに有していてもよい置換基の範囲と同様であり、後述する。
一般式（９）におけるＲ119が置換基を表す場合における該置換基の範囲は、前記一般式（１）におけるＣｙが有していてもよいＤｎ1とＡｃ1以外のその他の置換基の範囲と同様であり、ピレン骨格を含まないことが好ましい。
【００６４】
本発明の有機電界発光素子は、前記一般式（９）で表される化合物が下記一般式（１１）で表される化合物であることが好ましい。
【化２６】
0006046884.tif 000027
（式中、Ｄｎ3AはＮＲ11B、Ｏ原子またはＳ原子を表し、Ｒ11Bは置換基を表す。Ａ32、Ａ33、Ａ34、Ａ35、Ａ36、Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。Ｒ113、Ｒ114、Ｒ115、Ｒ116、Ｒ119およびＲ120はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｍ３１は０または１を表し、ｍ３１が０のときピレン環の＃位とＡ32は直接結合する。ｎ３２は０または１を表し、ｎ３２が１の場合にピレン環、Ａｃ3AおよびＬ32によって形成される環はいずれも芳香環ではない。ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
【００６５】
一般式（１１）において、一般式（９）と同様の名称の基が表す範囲は、その基の一般式（９）における好ましい範囲と同様である。
【００６６】
一般式（１１）におけるＡ32、Ａ33、Ａ34、Ａ35およびＡ36の好ましい範囲は、前記一般式（１０）におけるＡ22、Ａ23、Ａ24、Ａ25およびＡ26の好ましい範囲と同様である。
一般式（１１）におけるＡ71、Ａ72、Ａ73、Ａ74およびＡ75の好ましい範囲は、前記一般式（１０）におけるＡ61、Ａ62、Ａ63、Ａ64およびＡ65の好ましい範囲と同様である。
【００６７】
本発明の有機電界発光素子は、前記一般式（１１）で表される化合物が下記一般式（１３）で表される化合物であることが好ましい。
【化２７】
0006046884.tif 000028
（式中、Ｄｎ3AはＮＲ11B、Ｏ原子またはＳ原子を表し、Ｒ11Bは置換基を表す。Ａ71、Ａ72、Ａ73、Ａ74およびＡ75はそれぞれ独立にＣＲｚ’（隣り合う２つＣＲｚ’は共同して５または６員環を形成していてもよい）またはＮ原子を表す。Ａ71、Ａ72、Ａ73、Ａ74およびＡ75がいずれもＮ原子ではない場合は、Ａ71、Ａ72、Ａ73、Ａ74およびＡ75の表すＣＲｚ’のうち少なくとも１つのＲｚ’が電子吸引性置換基を表す。Ｒ113、Ｒ114、Ｒ115、Ｒ116、Ｒ119、Ｒ120、Ｒ211、Ｒ212、Ｒ213およびＲ214はそれぞれ独立に水素原子または置換基を表す。Ｌ31およびＬ32はそれぞれ独立に酸素原子、硫黄原子、ＣＲ32Ｒ33またはＳｉＲ34Ｒ35を表し、Ｒ32、Ｒ33、Ｒ34およびＲ35はそれぞれ独立に水素原子または置換基を表す。ｍ３１は０または１を表し、ｍ３１が０のとき＊＊位とピレン環の＃位は直接結合する。ｎ３２は０または１を表し、ｎ３２が０の場合にピレン環の＊位とＡ75は結合しない。但し、Ａ71、Ａ72、Ａ73、Ａ74およびＡ75のうち１つのみがＮ原子である場合、ｎ３２は１を表す。）
【００６８】
一般式（１３）において、一般式（１１）と同様の名称の基が表す範囲は、その基の一般式（１１）における好ましい範囲と同様である。
【００６９】
一般式（１３）におけるＲ211、Ｒ212、Ｒ213およびＲ214の好ましい範囲は、前記一般式（１２）におけるＲ201、Ｒ202、Ｒ203およびＲ204の好ましい範囲と同様である。
【００７０】
前記一般式（１）で表される化合物を発光材料として用いるとき、有機電界発光素子の極大発光波長は通常４５５ｎｍ未満となる。好ましくは４００ｎｍ以上４５５ｎｍ未満であり、より好ましくは４２０ｎｍ以上４５５ｎｍ未満であり、さらに好ましくは４３０ｎｍ以上４５５ｎｍ未満であり、色純度の高い青色発光が得られる観点から最も好ましくは４４０ｎｍ以上４５５ｎｍ未満である。
【００７１】
前記一般式（１）で表される化合物は、分子量が１０００以下であることが好ましく、９００以下であることがより好ましく、８５０以下であることが特に好ましく、８００以下であることがさらに好ましい。分子量を低くすることによって、昇華温度を低くすることができるため、蒸着時における化合物の熱分解を防ぐことができる。また、蒸着時間を短縮して、蒸着に必要なエネルギーを抑えることもできる。ここで、昇華温度の高い材料では長時間蒸着時に熱分解が起こり得るため、蒸着適性の観点では昇華温度は高過ぎない方がよい。前記一般式（１）で表される化合物の昇華温度（本明細書中、１０質量％減少温度を意味する）は好ましくは３００℃であり、より好ましくは２８５℃以下であり、さらに好ましくは２７０℃以下である。
【００７２】
前記一般式（１）で表される化合物の具体例を以下に示すが、本発明で用いることができる一般式（１）で表される化合物は、これらの具体例により限定的に解釈されるべきものではない。
【００７３】
【化２８】
0006046884.tif 000029
【００７４】
【化２９】
0006046884.tif 000030
【００７５】
【化３０】
0006046884.tif 000031
【００７６】
前記一般式（１）で表される化合物は、特開２０１０−１１１６２０号公報、韓国特許公報２０１１−００４１７２６号等に記載の方法や、その他公知の反応を組み合わせて合成することができる。また、例えば以下のスキームを組み合わせることにより合成することが可能である。
【００７７】
0006046884.tif 000032
合成後、カラムクロマトグラフィー、再結晶等による精製を行った後、昇華精製により精製することが好ましい。昇華精製により、有機不純物を分離できるだけでなく、無機塩や残留溶媒等を効果的に取り除くことができる。
【００７８】
前記一般式（１）で表される化合物を用いる発光材料として用いる場合、その極大発光波長は、４５５ｎｍ未満であることが好ましく、４００ｎｍ以上４５５ｎｍ未満であることがより好ましく、４２０ｎｍ以上４５５ｎｍ未満であることが特に好ましく、４３０ｎｍ以上４５５ｎｍ未満であることがさらに好ましく、４４０ｎｍ以上４５５ｎｍ未満であることが最も好ましい。
【００７９】
［有機電界発光素子］
本発明の有機電界発光素子は、基板と、該基板上に配置され、陽極及び陰極を含む一対の電極と、該電極間に配置され、発光層を含む少なくとも一層の有機層とを有し、前記有機層が前記一般式（１）で表される化合物を含むことを特徴とする。
本発明の有機電界発光素子の構成は、特に制限されることはない。図１に、本発明の有機電界発光素子の構成の一例を示す。図１の有機電界発光素子１０は、基板２上に、一対の電極（陽極３と陰極９）の間に有機層を有する。
有機電界発光素子の素子構成、基板、陰極及び陽極については、例えば、特開２００８−２７０７３６号公報に詳述されており、該公報に記載の事項を本発明に適用することができる。
以下、本発明の有機電界発光素子の好ましい態様について、基板、電極、有機層、保護層、封止容器、駆動方法、発光波長、用途の順で詳細に説明する。
【００８０】
＜基板＞
本発明の有機電界発光素子は、基板を有する。
本発明で使用する基板としては、有機層から発せられる光を散乱又は減衰させない基板であることが好ましい。有機材料の場合には、耐熱性、寸法安定性、耐溶剤性、電気絶縁性、及び加工性に優れていることが好ましい。
【００８１】
＜電極＞
本発明の有機電界発光素子は、前記基板上に配置され、陽極及び陰極を含む一対の電極を有する。
発光素子の性質上、一対の電極である陽極及び陰極のうち少なくとも一方の電極は、透明若しくは半透明であることが好ましい。
【００８２】
（陽極）
陽極は、通常、有機層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００８３】
（陰極）
陰極は、通常、有機層に電子を注入する電極としての機能を有していればよく、その形状、構造、大きさ等については特に制限はなく、発光素子の用途、目的に応じて、公知の電極材料の中から適宜選択することができる。
【００８４】
＜有機層＞
本発明の有機電界発光素子は、前記電極間に配置され、発光層を含む少なくとも一層の有機層を有し、前記有機層が前記一般式（１）で表される化合物を含むことを特徴とする。本発明の有機電界発光素子は、前記一般式（１）で表される化合物を含む少なくとも一層の有機層が、前記発光層であることが好ましい。
前記有機層は、特に制限はなく、有機電界発光素子の用途、目的に応じて適宜選択することができるが、前記透明電極上に又は前記半透明電極上に形成されるのが好ましい。この場合、有機層は、前記透明電極又は前記半透明電極上の全面又は一面に形成される。
有機層の形状、大きさ、及び厚み等については、特に制限はなく、目的に応じて適宜選択することができる。
以下、本発明の有機電界発光素子における、有機層の構成、有機層の形成方法、有機層を構成する各層の好ましい態様および各層に使用される材料について順に説明する。
【００８５】
（有機層の構成）
本発明の有機電界発光素子では、前記有機層が発光層を含む。前記有機層が、電荷輸送層を含むことが好ましい。前記電荷輸送層とは、有機電界発光素子に電圧を印加した際に電荷移動が起こる層をいう。具体的には正孔注入層、正孔輸送層、電子ブロック層、発光層、正孔ブロック層、電子輸送層又は電子注入層が挙げられる。前記電荷輸送層が正孔注入層、正孔輸送層、電子ブロック層又は発光層であれば、低コストかつ高効率な有機電界発光素子の製造が可能となる。
【００８６】
前記一般式（１）で表される化合物は、有機電界発光素子の前記電極間に配置される有機層のうち、少なくとも一層に含有され、前記電極間に配置される有機層中の発光層に含有されることが好ましい。
前記一般式（１）で表される化合物は本発明の有機電界発光素子のその他の有機層に含有されていてもよい。前記一般式（１）で表される化合物を含有してもよい発光層以外の有機層としては、正孔注入層、正孔輸送層、電子輸送層、電子注入層、励起子ブロック層、電荷ブロック層（正孔ブロック層、電子ブロック層など）などを挙げることができ、好ましくは、励起子ブロック層、電荷ブロック層、電子輸送層、電子注入層のいずれかであり、より好ましくは励起子ブロック層、電荷ブロック層、又は電子輸送層である。
【００８７】
前記一般式（１）で表される化合物が発光層に含有される場合、一般式（１）で表される化合物は発光層の全質量に対して０．１〜１００質量％含まれることが好ましく、１〜５０質量％含まれることがより好ましく、２〜２０質量％含まれることがより好ましい。
【００８８】
前記一般式（１）で表される化合物が発光層以外の有機層に含有される場合、一般式（１）で表される化合物はその有機層の全質量に対して７０〜１００質量％含まれることが好ましく、８０〜１００質量％含まれることがより好ましく、９０〜１００質量％含まれることがさらに好ましい。
【００８９】
（有機層の形成方法）
本発明の有機電界発光素子において、各有機層は、蒸着法やスパッタ法等の乾式製膜法、転写法、印刷法、スピンコート法、バーコート法等の湿式製膜法（溶液塗布法）のいずれによっても好適に形成することができる。
本発明の有機電界発光素子は、前記一対の電極間に配置された発光層が、前記発光層が真空蒸着プロセスまたは湿式プロセスにて形成されてなることが好ましく、前記発光層が少なくとも一層の前記一般式（１）で表される化合物を含む組成物の蒸着により形成されていることがより好ましい。
【００９０】
（発光層）
発光層は、電界印加時に、陽極、正孔注入層又は正孔輸送層から正孔を受け取り、陰極、電子注入層又は電子輸送層から電子を受け取り、正孔と電子の再結合の場を提供して発光させる機能を有する層である。但し、本発明における前記発光層は、このようなメカニズムによる発光に必ずしも限定されるものではない。
【００９１】
本発明の有機電界発光素子における前記発光層は、前記発光材料のみで構成されていてもよく、ホスト材料と前記発光材料の混合層とした構成でもよい。前記発光材料の種類は一種であっても二種以上であってもよい。前記ホスト材料は電荷輸送材料であることが好ましい。前記ホスト材料は一種であっても二種以上であってもよく、例えば、電子輸送性のホスト材料とホール輸送性のホスト材料を混合した構成が挙げられる。更に、前記発光層は、電荷輸送性を有さず、発光しない材料を含んでいてもよい。
【００９２】
また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。
【００９３】
発光層の厚さは、特に限定されるものではないが、通常、２ｎｍ〜５００ｎｍであるのが好ましく、中でも、外部量子効率の観点で、３ｎｍ〜２００ｎｍであるのがより好ましく、５ｎｍ〜１００ｎｍであるのが更に好ましい。
【００９４】
本発明の有機電界発光素子は、前記発光層が前記一般式（１）で表される化合物を含有し、前記発光層の発光材料として前記一般式（１）で表される化合物を用いることがより好ましい態様である。ここで、本明細書中、ホスト材料とは、発光層において主に電荷の注入、輸送を担う化合物であり、また、それ自体は実質的に発光しない化合物のことである。ここで「実質的に発光しない」とは、該実質的に発光しない化合物からの発光量が好ましくは素子全体での全発光量の５％以下であり、より好ましくは３％以下であり、更に好ましくは１％以下であることを言う。前記一般式（１）で表される化合物は、発光層のホスト材料として用いてもよい。
【００９５】
（発光材料）
本発明の有機電界発光素子では、前記一般式（１）で表される化合物を発光材料とすることが好ましいが、その場合であっても前記一般式（１）で表される化合物とは別の発光材料を組み合わせて用いることが可能である。また、本発明の有機電界発光素子において、前記一般式（１）で表される化合物を発光層のホスト材料として使用する場合や、発光層以外の有機層に用いる場合にも、前記一般式（１）で表される化合物とは別の発光材料を発光層に用いる。
本発明において用いることができる発光材料は、燐光発光材料、蛍光発光材料等のいずれであってもよい。また、本発明における発光層は、色純度を向上させたり、発光波長領域を広げたりするために、２種類以上の発光材料を含有することができる。
【００９６】
本発明の有機電界発光素子に用いることができる蛍光発光材料や燐光発光材料については、例えば、特開２００８−２７０７３６号公報の段落番号［０１００］〜［０１６４］、特開２００７−２６６４５８号公報の段落番号［００８８］〜［００９０］に詳述されており、これら公報の記載の事項を本発明に適用することができる。
本発明に使用できる燐光発光材料としては、例えば、米国特許第６３０３２３８号明細書、米国特許第６０９７１４７号明細書、ＷＯ００／５７６７６号公報、ＷＯ００／７０６５５号公報、ＷＯ０１／０８２３０号公報、ＷＯ０１／３９２３４号公報、ＷＯ０１／４１５１２号公報、ＷＯ０２／０２７１４号公報、ＷＯ０２／１５６４５号公報、ＷＯ０２／４４１８９号公報、ＷＯ０５／１９３７３号公報、特開２００１−２４７８５９号公報、特開２００２−３０２６７１号公報、特開２００２−１１７９７８号公報、特開２００３−１３３０７４号公報、特開２００２−２３５０７６号公報、特開２００３−１２３９８２号公報、特開２００２−１７０６８４号公報、欧州特許公開第１２１１２５７号公報、特開２００２−２２６４９５号公報、特開２００２−２３４８９４号公報、特開２００１−２４７８５９号公報、特開２００１−２９８４７０号公報、特開２００２−１７３６７４号公報、特開２００２−２０３６７８号公報、特開２００２−２０３６７９号公報、特開２００４−３５７７９１号公報、特開２００６−２５６９９９号公報、特開２００７−１９４６２号公報、特開２００７−８４６３５号公報、特開２００７−９６２５９号公報等の特許文献に記載の燐光発光化合物などが挙げられ、中でも、更に好ましい発光材料としては、Ｉｒ錯体、Ｐｔ錯体、Ｃｕ錯体、Ｒｅ錯体、Ｗ錯体、Ｒｈ錯体、Ｒｕ錯体、Ｐｄ錯体、Ｏｓ錯体、Ｅｕ錯体、Ｔｂ錯体、Ｇｄ錯体、Ｄｙ錯体、及びＣｅ錯体等の燐光発光性金属錯体化合物が挙げられる。特に好ましくは、Ｉｒ錯体、Ｐｔ錯体、又はＲｅ錯体であり、中でも金属−炭素結合、金属−窒素結合、金属−酸素結合、金属−硫黄結合の少なくとも一つの配位様式を含むＩｒ錯体、Ｐｔ錯体、又はＲｅ錯体が好ましい。更に、発光効率、駆動耐久性、色度等の観点で、Ｉｒ錯体、Ｐｔ錯体が特に好ましく、Ｉｒ錯体が最も好ましい。
【００９７】
本発明に使用できる蛍光発光材料の種類は特に限定されるものではないが、前記一般式（１）で表される化合物の他、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、縮合多環芳香族化合物（アントラセン、フェナントロリン、ピレン、ペリレン、ルブレン、又はペンタセンなど）、８−キノリノールの金属錯体、ピロメテン錯体や希土類錯体に代表される各種金属錯体、ポリチオフェン、ポリフェニレン、ポリフェニレンビニレン等のポリマー化合物、有機シラン、及びこれらの誘導体などを挙げることができる。
【００９８】
その他に、特開２０１０−１１１６２０号公報の［００８２］に記載される化合物を発光材料として用いることもできる。
本発明の有機電界発光素子における発光層は、発光材料のみで構成されていてもよく、ホスト材料と発光材料の混合層とした構成でもよい。発光材料の種類は一種であっても二種以上であっても良い。ホスト材料は電荷輸送材料であることが好ましい。ホスト材料は一種であっても二種以上であってもよく、例えば、電子輸送性のホスト材料と正孔輸送性のホスト材料を混合した構成が挙げられる。更に、発光層中に電荷輸送性を有さず、発光しない材料を含んでいてもよい。
また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。
【００９９】
（ホスト材料）
ホスト材料とは、発光層において主に電荷の注入、輸送を担う化合物であり、また、それ自体は実質的に発光しない化合物のことである。ここで「実質的に発光しない」とは、該実質的に発光しない化合物からの発光量が好ましくは素子全体での全発光量の５％以下であり、より好ましくは３％以下であり、更に好ましくは１％以下であることを言う。
【０１００】
本発明の有機電界発光素子に用いることのできるホスト材料としては、前記一般式（１）で表される化合物の他、例えば、以下の化合物を挙げることができる。
ピロール、インドール、カルバゾール、アザインドール、アザカルバゾール、トリアゾール、オキサゾール、オキサジアゾール、ピラゾール、イミダゾール、チオフェン、ベンゾチオフェン、ジベンゾチオフェン、フラン、ベンゾフラン、ジベンゾフラン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、ポルフィリン系化合物、縮環芳香族炭化水素化合物（フルオレン、ナフタレン、フェナントレン、トリフェニレン等）、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、８−キノリノ−ル誘導体の金属錯体やメタルフタロシアニン、ベンゾオキサゾ−ルやベンゾチアゾ−ルを配位子とする金属錯体に代表される各種金属錯体及びそれらの誘導体（置換基や縮環を有していてもよい）等を挙げることができる。その他に、特開２０１０−１１１６２０の［００８１］や［００８３］に記載される化合物を用いることもできる。
これらのうち、カルバゾール、ジベンゾチオフェン、ジベンゾフラン、アリールアミン、縮環芳香族炭化水素化合物、金属錯体が好ましく、縮環芳香族炭化水素化合物が安定であるために特に好ましい。縮環芳香族炭化水素化合物としてはナフタレン系化合物、アントラセン系化合物、フェナントレン系化合物、トリフェニレン系化合物、ピレン系化合物が好ましく、アントラセン系化合物、ピレン系化合物がより好ましく、アントラセン系化合物が特に好ましい。アントラセン系化合物としては、ＷＯ２０１０／１３４３５０号公報の[００３３]〜[００６４]に記載のものが特に好ましく、例えば後掲の化合物Ｈ−１やＨ−２を挙げることができる。
【０１０１】
本発明の有機電界発光素子における発光層において用いることができるホスト材料としては、正孔輸送性ホスト材料であっても、電子輸送性ホスト材料であってもよい。
【０１０２】
発光層において、前記ホスト材料の膜状態での一重項最低励起エネルギー（Ｓ1エネルギー）が、前記発光材料のＳ1エネルギーより高いことが色純度、発光効率、駆動耐久性の点で好ましい。ホスト材料のＳ1が発光材料のＳ1より０．１ｅＶ以上大きいことが好ましく、０．２ｅＶ以上大きいことがより好ましく、０．３ｅＶ以上大きいことが更に好ましい。
ホスト材料の膜状態でのＳ1が発光材料のＳ1より小さいと発光を消光してしまうためホスト材料には発光材料より大きなＳ1が求められる。また、ホスト材料のＳ1が発光材料より大きい場合でも、両者のＳ1差が小さい場合には一部、発光材料からホスト材料への逆エネルギー移動が起こるため、効率低下や色純度低下、耐久性低下の原因となる。従って、Ｓ1が十分に大きく、化学的安定性及びキャリア注入・輸送性の高いホスト材料が求められる。
【０１０３】
また、本発明の有機電界発光素子における発光層におけるホスト化合物の含有量は、特に限定されるものではないが、発光効率、駆動電圧の観点から、発光層を形成する全化合物質量に対して１５〜９５質量％であることが好ましい。発光層に、一般式（１）で表される化合物を含む複数種類のホスト化合物を含む場合、一般式（１）で表される化合物は全ホスト化合物中５０〜９９質量％以下であることが好ましい。
【０１０４】
（その他の層）
本発明の有機電界発光素子は、前記発光層以外のその他の層を有していてもよい。
前記有機層が有していてもよい前記発光層以外のその他の有機層として、正孔注入層、正孔輸送層、ブロック層（正孔ブロック層、励起子ブロック層など）、電子輸送層などが挙げられる。前記具体的な層構成として、下記が挙げられるが本発明はこれらの構成に限定されるものではない。
・陽極／正孔輸送層／発光層／電子輸送層／陰極、
・陽極／正孔輸送層／発光層／ブロック層／電子輸送層／陰極、
・陽極／正孔輸送層／発光層／ブロック層／電子輸送層／電子注入層／陰極、
・陽極／正孔注入層／正孔輸送層／発光層／ブロック層／電子輸送層／陰極、
・陽極／正孔注入層／正孔輸送層／発光層／電子輸送層／電子注入層／陰極、
・陽極／正孔注入層／正孔輸送層／発光層／ブロック層／電子輸送層／電子注入層／陰極、
・陽極／正孔注入層／正孔輸送層／ブロック層／発光層／ブロック層／電子輸送層／電子注入層／陰極。
本発明の有機電界発光素子は、（Ａ）前記陽極と前記発光層との間に好ましく配置される有機層を少なくとも一層含むことが好ましい。前記（Ａ）前記陽極と前記発光層との間に好ましく配置される有機層としては、陽極側から正孔注入層、正孔輸送層、電子ブロック層を挙げることができる。
本発明の有機電界発光素子は、（Ｂ）前記陰極と前記発光層との間に好ましく配置される有機層少なくとも一層含むことが好ましい。前記（Ｂ）前記陰極と前記発光層との間に好ましく配置される有機層としては、陰極側から電子注入層、電子輸送層、正孔ブロック層を挙げることができる。
具体的には、本発明の有機電界発光素子の好ましい態様の一例は、図１に記載される態様であり、前記有機層として、陽極３側から正孔注入層４、正孔輸送層５、発光層６、正孔ブロック層７及び電子輸送層８がこの順に積層されている態様である。
以下、これら本発明の有機電界発光素子が有していてもよい前記発光層以外のその他の層について、説明する。
【０１０５】
（Ａ）陽極と前記発光層との間に好ましく配置される有機層
まず、（Ａ）前記陽極と前記発光層との間に好ましく配置される有機層について説明する。
【０１０６】
（Ａ−１）正孔注入層、正孔輸送層
正孔注入層、正孔輸送層は、陽極又は陽極側から正孔を受け取り陰極側に輸送する機能を有する層である。
【０１０７】
本発明の発光素子は、発光層と陽極の間に少なくとも一層の有機層を含むことが好ましく、該有機層に、下記一般式（Ｓａ−１）、一般式（Ｓｂ−１）、一般式（Ｓｃ−１）で表される化合物の内、少なくとも一種の化合物を含有することが好ましい。
【０１０８】
【化３１】
0006046884.tif 000033
（式中、Ｘは、置換または無置換の炭素数１〜３０のアルキレン基、置換または無置換の炭素数２〜３０のアルケニレン基、置換または無置換の炭素数６〜３０のアリーレン基、置換または無置換の炭素数２〜３０のヘテロアリーレン基、あるいは、置換または無置換の炭素数２〜３０の複素環を表す。ＲS1、ＲS2、ＲS3は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS1、ＲS2、ＲS3同士が互いに結合し、飽和炭素環または不飽和炭素環を形成してもよい。ＡｒS1、ＡｒS2は、各々独立に、置換または無置換の炭素数６〜３０のアリール基、あるいは、置換または無置換の炭素数２〜３０のヘテロアリール基を表す。）
【化３２】
0006046884.tif 000034
（式中、ＲS4、ＲS5、ＲS6およびＲS7は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS4、ＲS5、ＲS6およびＲS7同士が互いに結合し、飽和炭素環または不飽和炭素環を形成してもよい。ＡｒS3は、置換または無置換の炭素数６〜３０のアリール基、あるいは、置換または無置換の炭素数２〜３０のヘテロアリール基を表す。）
【化３３】
0006046884.tif 000035
（式中、ＲS8およびＲS9は各々独立に水素原子、置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS10は置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS11およびＲS12は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS11およびＲS12同士が互いに結合し、飽和炭素環または不飽和炭素環を形成してもよい。ＡｒS4は、置換または無置換の炭素数６〜３０のアリール基または置換、あるいは、無置換の炭素数２〜３０のヘテロアリール基を表す。ＹS1、ＹS2は各々独立に、置換または無置換の炭素数１〜３０のアルキレン基、あるいは、置換または無置換の炭素数６〜３０のアリーレン基を表す。ｎおよびｍは各々独立に０〜５の整数を表す。）
【０１０９】
前記一般式（Ｓａ−１）について説明する。
前記一般式（Ｓａ−１）中、Ｘは、置換または無置換の炭素数１〜３０のアルキレン基、置換または無置換の炭素数２〜３０のアルケニレン基、置換または無置換の炭素数６〜３０のアリーレン基、置換または無置換の炭素数２〜３０のヘテロアリーレン基、あるいは、置換または無置換の炭素数２〜３０の複素環を表す。Ｘとして好ましくは、置換または無置換の炭素数６〜３０のアリーレン基であり、より好ましくは、置換または無置換のフェニレン、置換または無置換のビフェニレン、および、置換または無置換のナフチレンであり、さらに好ましくは置換または無置換のビフェニレンである。
ＲS1、ＲS2、ＲS3は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS1、ＲS2、ＲS3同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。ＲS1、ＲS2、ＲS3として好ましくは、水素原子、置換または無置換の炭素数１〜３０のアルキル基、置換または無置換の炭素数６〜３０のアリール基、置換または無置換の炭素数５〜３０の縮合多環基、および、シアノ基であり、より好ましくは水素原子である。
ＡｒS1、ＡｒS2は、各々独立に、置換または無置換の炭素数６〜３０のアリール基、あるいは、置換または無置換の炭素数２〜３０のヘテロアリール基を表す。ＡｒS1、ＡｒS2として好ましくは、置換または無置換のフェニル基である。
【０１１０】
次に前記一般式（Ｓｂ−１）について説明する。
前記一般式（Ｓｂ−１）中、ＲS4、ＲS5、ＲS6およびＲS7は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、または置換または無置換の炭素数５〜３０の縮合多環基、ヒドロキシ基、シアノ基、あるいは、置換または無置換のアミノ基を表す。隣接するＲS4、ＲS5、ＲS6およびＲS7同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。ＲS4、ＲS5、ＲS6およびＲS7として好ましくは、水素原子、置換または無置換の炭素数１〜３０のアルキル基、置換または無置換の炭素数６〜３０のアリール基、置換または無置換の炭素数５〜３０の縮合多環基、および、シアノ基であり、より好ましくは水素原子である。
ＡｒS3は、置換または無置換の炭素数６〜３０のアリール基、あるいは、置換または無置換の炭素数２〜３０のヘテロアリール基を表す。ＡｒS3として好ましくは、置換または無置換のフェニル基である。
【０１１１】
次に前記一般式（Ｓｃ−１）について説明する。
前記一般式（Ｓｃ−１）中、ＲS8およびＲS9は各々独立に水素原子、置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS8およびＲS9として好ましくは、置換または無置換の炭素数１〜３０のアルキル基、および、置換または無置換の炭素数６〜３０のアリール基であり、より好ましくは、メチル基およびフェニル基である。ＲS10は置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS10として好ましくは置換または無置換の炭素数６〜３０のアリール基であり、より好ましくはフェニル基である。ＲS11およびＲS12は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS11およびＲS12同士が互いに結合し、飽和炭素環または不飽和炭素環を形成してもよい。前記飽和炭素環または当該不飽和炭素環の例としては、ナフタレン、アズレン、アントラセン、フルオレン、フェナレンなどがある。ＲS11およびＲS12として好ましくは、水素原子、置換または無置換の炭素数１〜３０のアルキル基、置換または無置換の炭素数６〜３０のアリール基、置換または無置換の炭素数５〜３０の縮合多環基、および、シアノ基であり、より好ましくは水素原子である。ＡｒS4は、置換または無置換の炭素数６〜３０のアリール基、あるいは、置換または無置換の炭素数２〜３０のヘテロアリール基を表す。ＹS1、ＹS2は置換または無置換の炭素数１〜３０のアルキレン、あるいは、置換または無置換の炭素数６〜３０のアリーレンを表す。ＹS1、ＹS2として好ましくは、置換または無置換の炭素数６〜３０のアリーレンであり、より好ましくは置換または無置換のフェニレンである。ｎは０〜５の整数であり、好ましくは０〜３、より好ましくは０〜２、さらに好ましくは０である。ｍは０〜５の整数であり、好ましくは０〜３、より好ましくは０〜２、さらに好ましくは１である。
【０１１２】
前記一般式（Ｓａ−１）は、好ましくは下記一般式（Ｓａ−２）で表される化合物である。
【０１１３】
【化３４】
0006046884.tif 000036
（式中、ＲS1、ＲS2、ＲS3は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS1、ＲS2、ＲS3同士が互いに結合し、飽和炭素環または不飽和炭素環を形成してもよい。ＱSaは各々独立に、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、あるいは、置換または非置換のアミノ基を表す。）
【０１１４】
前記一般式（Ｓａ−２）について説明する。ＲS1、ＲS2、ＲS3は一般式（Ｓａ−１）中のそれらと同義であり、また好ましい範囲も同様である。ＱSaは各々独立に、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、あるいは、置換または非置換のアミノ基を表す。ＱSaとして好ましくは、水素原子、シアノ基、フッ素原子、置換または非置換の炭素数１〜３０のアルキル基、および、置換または非置換の炭素数６〜３０のアリール基であり、より好ましくは水素原子、および、置換または非置換の炭素数１〜３０のアルキル基であり、さらに好ましくは水素原子である。
【０１１５】
前記一般式（Ｓｂ−１）は、好ましくは下記一般式（Ｓｂ−２）で表される化合物である。
【０１１６】
【化３５】
0006046884.tif 000037
（式中、ＲS4、ＲS5、ＲS6およびＲS7は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、置換または無置換の炭素数５〜３０の縮合多環基、ヒドロキシ基、シアノ基、あるいは、置換または無置換のアミノ基を表す。隣接するＲS4、ＲS5、ＲS6およびＲS7同士が互いに結合し、飽和炭素環または不飽和炭素環を形成してもよい。ＱSbは、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、あるいは、置換または非置換のアミノ基を表す。）
【０１１７】
前記一般式（Ｓｂ−２）について説明する。ＲS4、ＲS5、ＲS6およびＲS7は一般式（Ｓｂ−１）中のそれらと同義であり、また好ましい範囲も同様である。ＱSaは、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、あるいは、置換または非置換のアミノ基を表す。ＱSaとして好ましくは、水素原子、シアノ基、フッ素原子、置換または非置換の炭素数１〜３０のアルキル基、および、置換または非置換の炭素数６〜３０のアリール基であり、より好ましくは水素原子、および、置換または非置換の炭素数１〜３０のアルキル基であり、さらに好ましくは水素原子である。
【０１１８】
前記一般式（Ｓｃ−１）は、好ましくは下記一般式（Ｓｃ−２）で表される化合物である。
【０１１９】
【化３６】
0006046884.tif 000038
（式中、ＲS8およびＲS9は各々独立に水素原子、置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS10は置換または無置換の炭素数１〜３０のアルキル基、置換または無置換の炭素数６〜３０のアリール基、置換または無置換の炭素数２〜３０の複素環基、あるいは、置換または無置換の炭素数５〜３０の縮合多環基を表す。ＲS11およびＲS12は、各々独立に水素原子、置換または無置換の炭素数１〜３０のアルキル基、置換または無置換の炭素数１〜３０のアルコキシ基、置換または無置換の炭素数６〜３０のアリール基、置換または無置換の炭素数６〜３０のアリールオキシ基、置換または無置換の炭素数２〜３０の複素環、または置換または無置換の炭素数５〜３０の縮合多環基、ヒドロキシ基、シアノ基、あるいは、置換または無置換のアミノ基を表す。隣接するＲS11およびＲS12同士が互いに結合し、飽和炭素環または不飽和炭素環を形成してもよい。ＱScは、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、あるいは、置換または非置換のアミノ基を表す。）
【０１２０】
前記一般式（Ｓｃ−２）について説明する。ＲS8、ＲS9、ＲS10、ＲS11およびＲS12は一般式（Ｓｃ−１）中のそれらと同義であり、また好ましい範囲も同様である。ＱScは、水素原子、シアノ基、フッ素原子、炭素数１〜３０のアルコキシ基、置換または非置換の炭素数１〜３０のアルキル基、炭素数６〜３０のアリールオキシ基、置換または非置換の炭素数６〜３０のアリール基、置換または非置換の炭素数２〜３０の複素環、または置換または非置換のアミノ基を表す。ＱScとして好ましくは、水素原子、シアノ基、フッ素原子、置換または非置換の炭素数１〜３０のアルキル基、置換または非置換の炭素数６〜３０のアリール基であり、より好ましくは水素原子、置換または非置換の炭素数６〜３０のアリール基であり、さらに好ましくはフェニル基である。
【０１２１】
前記一般式（Ｓａ−１）、（Ｓｂ−１）および（Ｓｃ−１）で表される化合物の具体例としては以下のものが挙げられる。但し、本発明は以下の具体例に限定されるものではない。
【０１２２】
【化３７】
0006046884.tif 000039
【０１２３】
【化３８】
0006046884.tif 000040
【０１２４】
【化３９】
0006046884.tif 000041
【０１２５】
【化４０】
0006046884.tif 000042
【０１２６】
【化４１】
0006046884.tif 000043
【０１２７】
【化４２】
0006046884.tif 000044
【０１２８】
【化４３】
0006046884.tif 000045
【０１２９】
【化４４】
0006046884.tif 000046
【０１３０】
【化４５】
0006046884.tif 000047
【０１３１】
【化４６】
0006046884.tif 000048
【０１３２】
前記一般式（Ｓａ−１）、（Ｓｂ−１）または（Ｓｃ−１）で表される化合物は、特開２００７−３１８１０１号公報に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。
【０１３３】
本発明の発光素子において、前記一般式（Ｓａ−１）、（Ｓｂ−１）または（Ｓｃ−１）で表される化合物は、前記発光層と前記陽極との間の有機層に含有されることが好ましく、その中でも発光層に隣接する陽極側の層に含有されることがより好ましく、正孔輸送層に含有される正孔輸送材料であることが特に好ましい。
前記一般式（Ｓａ−１）、（Ｓｂ−１）または（Ｓｃ−１）で表される化合物は、添加する有機層の全質量に対して７０〜１００質量％含まれることが好ましく、８５〜１００質量％含まれることがより好ましい。
【０１３４】
その他、正孔注入層および正孔輸送層については、特開２００８−２７０７３６号公報の段落番号〔０１６５〕〜〔０１６７〕に記載の事項を本発明に適用することもできる。
【０１３５】
前記正孔注入層には電子受容性ドーパントを含有することが好ましい。正孔注入層に電子受容性ドーパントを含有することにより、正孔注入性が向上し、駆動電圧が低下する、効率が向上するなどの効果がある。電子受容性ドーパントとは、ドープされる材料から電子を引き抜き、ラジカルカチオンを発生させることが可能な材料であれば有機材料、無機材料のうちいかなるものでもよいが、
例えば、テトラシアノキノジメタン（ＴＣＮＱ）、テトラフルオロテトラシアノキノジメタン（Ｆ4−ＴＣＮＱ）などのＴＣＮＱ化合物、ヘキサシアノヘキサアザトリフェニレン（ＨＡＴ−ＣＮ）などのヘキサアザトリフェニレン化合物、酸化モリブデンなどが挙げられる。
【０１３６】
前記正孔注入層中の電子受容性ドーパントは、正孔注入層を形成する全化合物質量に対して、０．０１〜５０質量％含有されることが好ましく、０．１〜４０質量％含有されることがより好ましく、０．２〜３０質量％含有されることがより好ましい。
【０１３７】
（Ａ−２）電子ブロック層
電子ブロック層は、陰極側から発光層に輸送された電子が、陽極側に通りぬけることを防止する機能を有する層である。本発明において、発光層と陽極側で隣接する有機層として、電子ブロック層を設けることができる。
電子ブロック層を構成する有機化合物の例としては、例えば前述の正孔輸送材料として挙げたものが適用できる。
電子ブロック層の厚さとしては、１ｎｍ〜５００ｎｍであるのが好ましく、３ｎｍ〜１００ｎｍであるのがより好ましく、５ｎｍ〜５０ｎｍであるのが更に好ましい。
電子ブロック層は、上述した材料の一種又は二種以上からなる単層構造であってもよいし、同一組成又は異種組成の複数層からなる多層構造であってもよい。
電子ブロック層に用いる材料は、前記発光材料のＳ1エネルギーより高いことが色純度、発光効率、駆動耐久性の点で好ましい。電子ブロック層に用いる材料の膜状態でのＳ1が発光材料のＳ1より０．１ｅＶ以上大きいことが好ましく、０．２ｅＶ以上大きいことがより好ましく、０．３ｅＶ以上大きいことが更に好ましい。
【０１３８】
（Ｂ）陰極と前記発光層との間に好ましく配置される有機層
次に、前記（Ｂ）陰極と前記発光層との間に好ましく配置される有機層について説明する。
【０１３９】
（Ｂ−１）電子注入層、電子輸送層
電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。
電子輸送材料としては、例えば前記一般式（１）で表される化合物を用いることができる。その他の電子輸送材料としては、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、ベンゾイミダゾール誘導体、イミダゾピリジン誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、ナフタレン、アントラセン、フェナントレン、トリフェニレン、ピレン等の縮環炭化水素化合物等をから選ばれることが好ましく、ピリジン誘導体、ベンゾイミダゾール誘導体、イミダゾピリジン誘導体、金属錯体、縮環炭化水素化合物のいずれかであることがより好ましい。
【０１４０】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが更に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが更に好ましい。
電子注入層、電子輸送層は、上述した材料の１種又は２種以上からなる単層構造であってもよいし、同一組成又は異種組成の複数層からなる多層構造であってもよい。
【０１４１】
電子注入層には電子供与性ドーパントを含有することが好ましい。電子注入層に電子供与性ドーパントを含有させることにより、電子注入性が向上し、駆動電圧が低下する、効率が向上するなどの効果がある。電子供与性ドーパントとは、ドープされる材料に電子を与え、ラジカルアニオンを発生させることが可能な材料であれば有機材料、無機材料のうちいかなるものでもよいが、例えば、テトラチアフルバレン（ＴＴＦ）、テトラチアナフタセン（ＴＴＴ）、ビス−［１，３  ジエチル−２−メチル−１，２−ジヒドロベンズイミダゾリル］などのジヒドロイミダゾール化合物、リチウム、セシウムなどが挙げられる。
【０１４２】
電子注入層中の電子供与性ドーパントは、電子注入層を形成する全化合物質量に対して、０．０１質量％〜５０質量％含有されることが好ましく、０．１質量％〜４０質量％含有されることがより好ましく、０．５質量％〜３０質量％含有されることがより好ましい。
【０１４３】
（Ｂ−２）正孔ブロック層
正孔ブロック層は、陽極側から発光層に輸送された正孔が、陰極側に通りぬけることを防止する機能を有する層である。本発明において、発光層と陰極側で隣接する有機層として、正孔ブロック層を設けることができる。
正孔ブロック層を構成する有機化合物の膜状態でのＳ1エネルギーは、発光層で生成する励起子のエネルギー移動を防止し、発光効率を低下させないために、発光材料のＳ1エネルギーよりも高いことが好ましい。
正孔ブロック層を構成する有機化合物の例としては、例えば前記一般式（１）で表される化合物を用いることができる。
前記一般式（１）で表される化合物以外の、正孔ブロック層を構成するその他の有機化合物の例としては、アルミニウム（ＩＩＩ）ビス（２−メチル−８−キノリナト）４−フェニルフェノレート（Ａｌｕｍｉｎｕｍ  （ＩＩＩ）ｂｉｓ（２−ｍｅｔｈｙｌ−８−ｑｕｉｎｏｌｉｎａｔｏ）４−ｐｈｅｎｙｌｐｈｅｎｏｌａｔｅ（Ｂａｌｑと略記する））等のアルミニウム錯体、トリアゾール誘導体、２，９−ジメチル−４，７−ジフェニル−１，１０−フェナントロリン（２，９−Ｄｉｍｅｔｈｙｌ−４，７−ｄｉｐｈｅｎｙｌ−１，１０−ｐｈｅｎａｎｔｈｒｏｌｉｎｅ（ＢＣＰと略記する））等のフェナントロリン誘導体、等が挙げられる。
正孔ブロック層の厚さとしては、１ｎｍ〜５００ｎｍであるのが好ましく、３ｎｍ〜１００ｎｍであるのがより好ましく、５ｎｍ〜５０ｎｍであるのが更に好ましい。
正孔ブロック層は、上述した材料の一種又は二種以上からなる単層構造であってもよいし、同一組成又は異種組成の複数層からなる多層構造であってもよい。
正孔ブロック層に用いる材料は、前記発光材料のＳ1エネルギーより高いことが色純度、発光効率、駆動耐久性の点で好ましい。正孔ブロック層に用いる材料の膜状態でのＳ1が発光材料のＳ1より０．１ｅＶ以上大きいことが好ましく、０．２ｅＶ以上大きいことがより好ましく、０．３ｅＶ以上大きいことが更に好ましい。
【０１４４】
（Ｂ−３）陰極と前記発光層との間に好ましく配置される有機層に特に好ましく用いられる材料
本発明の有機電界発光素子は、前記（Ｂ）陰極と前記発光層との間に好ましく配置される有機層の材料に特に好ましく用いられる材料として、前記一般式（１）で表される化合物、下記一般式（Ｐ−１）で表される化合物および下記一般式（Ｏ−１）で表される化合物を挙げることができる。
以下、前記一般式（Ｏ−１）で表される化合物と、前記一般式（Ｐ−１）で表される化合物について説明する。
【０１４５】
本発明の有機電界発光素子は、発光層と陰極との間に少なくとも一層の有機層を含むことが好ましく、該有機層に少なくとも一種の下記一般式（Ｏ−１）で表される化合物を含有することが素子の効率や駆動電圧の観点から好ましい。以下に、一般式（Ｏ−１）について説明する。
【０１４６】
【化４７】
0006046884.tif 000049
【０１４７】
（一般式（Ｏ−１）中、ＲO1は、アルキル基、アリール基、又はヘテロアリール基を表す。ＡO1〜ＡO4はそれぞれ独立に、Ｃ−ＲA又は窒素原子を表す。ＲAは水素原子、アルキル基、アリール基、又はヘテロアリール基を表し、複数のＲAは同じでも異なっていても良い。ＬO1は、アリール環又はヘテロアリール環からなる二価〜六価の連結基を表す。ｎO1は２〜６の整数を表す。）
【０１４８】
ＲO1は、アルキル基（好ましくは炭素数１〜８）、アリール基（好ましくは炭素数６〜３０）、又はヘテロアリール基（好ましくは炭素数４〜１２）を表し、これらは前述の置換基群Ａから選ばれる置換基を有していても良い。ＲO1として好ましくはアリール基、又はヘテロアリール基であり、より好ましくはアリール基である。ＲO1のアリール基が置換基を有する場合の好ましい置換基としては、アルキル基、アリール基又はシアノ基が挙げられ、アルキル基又はアリール基がより好ましく、アリール基が更に好ましい。ＲO1のアリール基が複数の置換基を有する場合、該複数の置換基は互いに結合して５又は６員環を形成していても良い。ＲO1のアリール基は、好ましくは置換基群Ａから選ばれる置換基を有していても良いフェニル基であり、より好ましくはアルキル基又はアリール基が置換していてもよいフェニル基であり、更に好ましくは無置換のフェニル基又は２−フェニルフェニル基である。
【０１４９】
ＡO1〜ＡO4はそれぞれ独立に、Ｃ−ＲA又は窒素原子を表す。ＡO1〜ＡO4のうち、０〜２つが窒素原子であるのが好ましく、０又は１つが窒素原子であるのがより好ましい。ＡO1〜ＡO4の全てがＣ−ＲAであるか、又はＡO1が窒素原子で、ＡO2〜ＡO4がＣ−ＲAであるのが好ましく、ＡO1が窒素原子で、ＡO2〜ＡO4がＣ−ＲAであるのがより好ましく、ＡO1が窒素原子で、ＡO2〜ＡO4がＣ−ＲAであり、ＲAが全て水素原子であるのが更に好ましい。
【０１５０】
ＲAは水素原子、アルキル基（好ましくは炭素数１〜８）、アリール基（好ましくは炭素数６〜３０）、又はヘテロアリール基（好ましくは炭素数４〜１２）を表し、これらは前述の置換基群Ａから選ばれる置換基を有していても良い。また複数のＲAは同じでも異なっていても良い。ＲAとして好ましくは水素原子又はアルキル基であり、より好ましくは水素原子である。
【０１５１】
ＬO1は、アリール環（好ましくは炭素数６〜３０）又はヘテロアリール環（好ましくは炭素数４〜１２）からなる二価〜六価の連結基を表す。ＬO1として好ましくは、アリーレン基、ヘテロアリーレン基、アリールトリイル基、又はヘテロアリールトリイル基であり、より好ましくはフェニレン基、ビフェニレン基、又はベンゼントリイル基であり、更に好ましくはビフェニレン基、又はベンゼントリイル基である。ＬO1は前述の置換基群Ａから選ばれる置換基を有していても良く、置換基を有する場合の置換基としてはアルキル基、アリール基、又はシアノ基が好ましい。ＬO1の具体例としては、以下のものが挙げられる。
【０１５２】
【化４８】
0006046884.tif 000050
【０１５３】
ｎO1は２〜６の整数を表し、好ましくは２〜４の整数であり、より好ましくは２又は３である。ｎO1は、素子効率の観点では最も好ましくは３であり、素子の耐久性の観点では最も好ましくは２である。
【０１５４】
前記一般式（Ｏ−１）で表される化合物は、高温保存時の安定性、高温駆動時、駆動時の発熱に対して安定して動作させる観点から、ガラス転移温度（Ｔｇ）は１００℃〜３００℃であることが好ましく、１２０℃〜３００℃であることがより好ましく、１２０℃〜３００℃であることが更に好ましく、１４０℃〜３００℃であることが更により好ましい。
【０１５５】
一般式（Ｏ−１）で表される化合物の具体例を以下に示すが、本発明で用いることができる一般式（Ｏ−１）で表される化合物はこれらの具体例によって限定的に解釈されることはない。
【０１５６】
【化４９】
0006046884.tif 000051
【０１５７】
【化５０】
0006046884.tif 000052
【０１５８】
前記一般式（Ｏ−１）で表される化合物は、特開２００１−３３５７７６号に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。
【０１５９】
本発明の有機電界発光素子において、一般式（Ｏ−１）で表される化合物は発光層と陰極との間の有機層に含有されることが好ましいが、発光層に隣接する陰極側の層に含有されることがより好ましい。
一般式（Ｏ−１）で表される化合物は、添加する有機層の全質量に対して７０〜１００質量％含まれることが好ましく、８５〜１００質量％含まれることがより好ましい。
【０１６０】
本発明の有機電界発光素子は、発光層と陰極との間に少なくとも一層の有機層を含むことが好ましく、該有機層に少なくとも一種の下記一般式（Ｐ）で表される化合物を含有することが素子の効率や駆動電圧の観点から好ましい。以下に、一般式（Ｐ）について説明する。
【０１６１】
【化５１】
0006046884.tif 000053
【０１６２】
（一般式（Ｐ）中、ＲPは、アルキル基（好ましくは炭素数１〜８）、アリール基（好ましくは炭素数６〜３０）、又はヘテロアリール基（好ましくは炭素数４〜１２）を表し、これらは前述の置換基群Ａから選ばれる置換基を有していても良い。ｎＰは１〜１０の整数を表し、ＲPが複数の場合、それらは同一でも異なっていてもよい。ＲPのうち少なくとも一つは、下記一般式（Ｐ−１）〜（Ｐ−３）で表される置換基である。
【０１６３】
【化５２】
0006046884.tif 000054
【０１６４】
（一般式（Ｐ−１）〜（Ｐ−３）中、ＲP1〜ＲP3、Ｒ’P1〜Ｒ’P3はそれぞれアルキル基（好ましくは炭素数１〜８）、アリール基（好ましくは炭素数６〜３０）、又はヘテロアリール基（好ましくは炭素数４〜１２）を表し、これらは前述の置換基群Ａから選ばれる置換基を有していても良い。ｎP1及びｎP2は０〜４の整数を表し、ＲP1〜ＲP3、Ｒ’P1〜Ｒ’P3が複数の場合、それらは同一でも異なっていてもよい。ＬP1〜ＬP3は、単結合、アリール環又はヘテロアリール環からなる二価の連結基のいずれかを表す。＊は一般式（Ｐ）のアントラセン環との結合位を表す。）
【０１６５】
ＲPとして、（Ｐ−１）〜（Ｐ−３）で表される置換基以外の好ましい置換基はアリール基であり、より好ましくはフェニル基、ビフェニル基、ターフェニル基、ナフチル基のいずれかであり、更に好ましくはナフチル基である。
ＲP1〜ＲP3、Ｒ’P1〜Ｒ’P3として、好ましくはアリール基、ヘテロアリール基のいずれかであり、より好ましくはアリール基であり、更に好ましくはフェニル基、ビフェニル基、ターフェニル基、ナフチル基のいずれかであり、最も好ましくはフェニル基である。
ＬP1〜ＬP3として、好ましくは単結合、アリール環からなる二価の連結基のいずれかであり、より好ましくは単結合、フェニレン、ビフェニレン、ターフェニレン、ナフチレンのいずれかであり、更に好ましくは単結合、フェニレン、ナフチレンのいずれかである。
【０１６６】
一般式（Ｐ）で表される化合物の具体例を以下に示すが、本発明で用いることができる一般式（Ｐ）で表される化合物はこれらの具体例によって限定的に解釈されることはない。
【０１６７】
【化５３】
0006046884.tif 000055
【０１６８】
【化５４】
0006046884.tif 000056
【０１６９】
前記一般式（Ｐ）で表される化合物は、ＷＯ２００３／０６０９５６号公報、ＷＯ２００４／０８０９７５号公報等に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。
【０１７０】
本発明の有機電界発光素子において、一般式（Ｐ）で表される化合物は発光層と陰極との間の有機層に含有されることが好ましいが、陰極に隣接する層に含有されることがより好ましい。
一般式（Ｐ）で表される化合物は、添加する有機層の全質量に対して７０〜１００質量％含まれることが好ましく、８５〜１００質量％含まれることがより好ましい。
【０１７１】
＜保護層＞
本発明において、有機電界素子全体は、保護層によって保護されていてもよい。
保護層については、特開２００８−２７０７３６号公報の段落番号〔０１６９〕〜〔０１７０〕に記載の事項を本発明に適用することができる。なお、保護層の材料は無機物であっても、有機物であってもよい。
【０１７２】
＜封止容器＞
本発明の有機電界発光素子は、封止容器を用いて素子全体を封止してもよい。
封止容器については、特開２００８−２７０７３６号公報の段落番号〔０１７１〕に記載の事項を本発明に適用することができる。
【０１７３】
＜駆動方法＞
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書等に記載の駆動方法を適用することができる。
【０１７４】
本発明の有機電界発光素子の外部量子効率としては、５％以上が好ましく、６％以上がより好ましく、７％以上が更に好ましい。外部量子効率の数値は２０℃で素子を駆動したときの外部量子効率の最大値、若しくは、２０℃で素子を駆動したときの３００〜４００ｃｄ／ｍ2付近での外部量子効率の値を用いることができる。
【０１７５】
本発明の有機電界発光素子の内部量子効率は、３０％以上であることが好ましく、５０％以上が更に好ましく、７０％以上が更に好ましい。素子の内部量子効率は、外部量子効率を光取り出し効率で除して算出される。通常の有機ＥＬ素子では光取り出し効率は約２０％であるが、基板の形状、電極の形状、有機層の膜厚、無機層の膜厚、有機層の屈折率、無機層の屈折率等を工夫することにより、光取り出し効率を２０％以上にすることが可能である。
【０１７６】
＜発光波長＞
本発明の有機電界発光素子は、その発光波長に制限はないが、青色または白色の発光に用いるのが好ましい。その中でも、本発明の有機電界発光素子では、前記一般式（１）で表される化合物を発光材料として用いて発光させることが好ましく、特に青色発光させることが好ましい。
【０１７７】
＜本発明の有機電界発光素子の用途＞
本発明の有機電界発光素子は、表示素子、ディスプレイ、バックライト、電子写真、照明光源、記録光源、露光光源、読み取り光源、標識、看板、インテリア、又は光通信等に好適に利用できる。特に、発光装置、照明装置、表示装置等の発光輝度が高い領域で駆動されるデバイスに好ましく用いられる。
【０１７８】
［発光装置］
本発明の発光装置は、本発明の有機電界発光素子を含むことを特徴とする。
次に、図２を参照して本発明の発光装置について説明する。
本発明の発光装置は、前記有機電界発光素子を用いてなる。
図２は、本発明の発光装置の一例を概略的に示した断面図である。図２の発光装置２０は、透明基板（支持基板）２、有機電界発光素子１０、封止容器１６等により構成されている。
【０１７９】
有機電界発光素子１０は、基板２上に、陽極（第一電極）３、有機層１１、陰極（第二電極）９が順次積層されて構成されている。また、陰極９上には、保護層１２が積層されており、更に、保護層１２上には接着層１４を介して封止容器１６が設けられている。なお、各電極３、９の一部、隔壁、絶縁層等は省略されている。
ここで、接着層１４としては、エポキシ樹脂等の光硬化型接着剤や熱硬化型接着剤を用いることができ、例えば熱硬化性の接着シートを用いることもできる。
【０１８０】
本発明の発光装置の用途は特に制限されるものではなく、例えば、照明装置のほか、テレビ、パーソナルコンピュータ、携帯電話、電子ペーパ等の表示装置とすることができる。
【０１８１】
［照明装置］
本発明の照明装置は、本発明の有機電界発光素子を含むことを特徴とする。
次に、図３を参照して本発明の照明装置について説明する。
図３は、本発明の照明装置の一例を概略的に示した断面図である。本発明の照明装置４０は、図３に示すように、前述した有機ＥＬ素子１０と、光散乱部材３０とを備えている。より具体的には、照明装置４０は、有機ＥＬ素子１０の基板２と光散乱部材３０とが接触するように構成されている。
光散乱部材３０は、光を散乱できるものであれば特に制限されないが、図３においては、透明基板３１に微粒子３２が分散した部材とされている。透明基板３１としては、例えば、ガラス基板を好適に挙げることができる。微粒子３２としては、透明樹脂微粒子を好適に挙げることができる。ガラス基板及び透明樹脂微粒子としては、いずれも、公知のものを使用できる。このような照明装置４０は、有機電界発光素子１０からの発光が散乱部材３０の光入射面３０Ａに入射されると、入射光を光散乱部材３０により散乱させ、散乱光を光出射面３０Ｂから照明光として出射するものである。
【０１８２】
［表示装置］
本発明の表示装置は、本発明の有機電界発光素子を含むことを特徴とする。
本発明の表示装置としては、例えば、テレビ、パーソナルコンピュータ、携帯電話、電子ペーパ等の表示装置とすることなどを挙げることができる。
【実施例】
【０１８３】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１８４】
１．合成例
前記一般式（１）で表される化合物は、本明細書中に記載の方法や、その他公知の反応を組み合わせて合成することができる。以下に前記一般式（１）で表される化合物の具体的合成手順の代表例を記載する。なお、各実施例で用いたその他の前記一般式（１）で表される化合物についても、類似の方法によって合成することができる。
【０１８５】
（化合物２の合成）
下記スキームに従い、化合物２を合成した。
【化５５】
0006046884.tif 000057
【０１８６】
（２ａの合成）
１，８−ジブロモピレン（３０ｇ）、２−クロロアニリン（１０．６ｇ）、ｔＢｕＯＮａ（１６ｇ）、２−Ｄｉｃｙｃｌｏｈｅｘｙｌｐｈｏｓｐｈｉｎｏ−２’，４’，６’−ｔｒｉｉｓｏｐｒｏｐｙｌｂｉｐｈｅｎｙｌ（ＡＬＤＲＩＣＨ社製）（４．０ｇ）のトルエン溶液（１５０ｍｌ）に、窒素雰囲気下でＰｄ（ｄｂａ）2（２．４ｇ）を添加し、加熱環流下で１２時間攪拌した。反応液を酢酸エチル／食塩水に注加し、有機層を食塩水で洗浄し、硫酸マグネシウムで乾燥した後、減圧にて濃縮した。濃縮残さをシリカゲルカラムクロマト精製することにより、化合物２ａ（１０．２ｇ）を得た。
【０１８７】
（２ｂの合成）
化合物２ａ（１０ｇ）、トリシクロヘキシルホスフィン（０．７ｇ）、炭酸カリウム（ｇ）のＤＭＡｃ溶液（１００ｍｌ）に、窒素雰囲気下でＰｄ（ＯＡｃ）2（０．３ｇ）を添加し、加熱環流下で１８時間攪拌した。得られた粗結晶をシリカゲルカラムクロマト精製することにより、化合物２ｂ（５．５ｇ）を得た。
【０１８８】
（２ｃの合成）
化合物２ｂ（５．４ｇ）、ｔＢｕＯＮａ（４．２ｇ）、１，３−ジターシャリーブチルブロモベンゼン（東京化成製）（１１．８ｇ）、トリターシャリーブチルホスフィン（０．３ｇ）のキシレン溶液（１００ｍｌ）に、窒素雰囲気下でＰｄ（ｄｂａ）2（０．４ｇ）を添加し、加熱環流下で５時間攪拌した。反応液を酢酸エチル／食塩水に注加し、有機層を食塩水で洗浄し、硫酸マグネシウムで乾燥した後、減圧にて濃縮した。濃縮残さをシリカゲルカラムクロマト精製することにより、化合物２ｃ（６．１ｇ）を得た。
【０１８９】
（２ｄの合成）
化合物２ｃ（６．０ｇ）、ビスピナコラートジボラン（和光純薬製）（３．３ｇ）、ＰｄＣｌ2(ｄｐｐｆ)2・ＣＨ2Ｃｌ2（０．２６ｇ）、酢酸カリウム（２．６ｇ）のトルエン溶液（３００ｍｌ）を窒素雰囲気下・加熱環流下で１２時間攪拌した。反応液を酢酸エチル／食塩水に注加し、有機層を食塩水で洗浄し、硫酸マグネシウムで乾燥した後、減圧にて濃縮した。濃縮残さをシリカゲルカラムクロマト精製することにより、化合物２ｄ（５．４ｇ）を得た。
【０１９０】
（２ｇの合成）
２−クロロ−６−メチルニコチン酸（１０ｇ）、ヨードエタン（５当量）、炭酸セシウム（１．５当量）のアセトニトリル溶液（１００ｍｌ）を加熱環流下で６時間攪拌した。反応液を濾過し、無機塩を除去した後、減圧にて濃縮した。クロロホルムに溶解し、重曹水で洗浄し、有機層を硫酸マグネシウムで乾燥した後、減圧にて濃縮することで、化合物２ｇ（９．７ｇ）を得た。
【０１９１】
（２ｅの合成）
化合物２ｄ（５．２ｇ）、化合物２ｇ（１．９ｇ）、トリス（ジベンジリデンアセトン）ジパラジウム（Ｐｄ2（ｄｂａ）3）（０．４ｍｇ）、２−ジシクロヘキシルホスフィノ−２’，６’−ジメトキシビフェニル（ＳＰｈｏｓ）（０．３５ｍｇ）、リン酸カリウム（  ３．６ｇ）を混合し、窒素雰囲気下、８時間加熱還流した。反応液を室温に戻した後、酢酸エチル、純水を添加し、有機層を抽出した。有機層を硫酸ナトリウムで乾燥し、減圧濃縮し、シリカゲルカラムクロマトグラフィーにより精製することにより、化合物２ｅ（４．７ｇ）を得た。
【０１９２】
（２ｆの合成）
化合物２ｅ（４．５ｇ）のＴＨＦ溶液（５０ｍｌ）に−７８℃にて３当量のメチルグリニヤ試薬を作用させて、反応をおこなった。反応液を酢酸エチル／食塩水に注加し、有機層を食塩水で洗浄し、硫酸マグネシウムで乾燥した後、減圧にて濃縮した。濃縮残さをシリカゲルカラムクロマト精製することにより、化合物２ｆ（３．４ｇ）を得た。
【０１９３】
（化合物２の合成）
化合物２ｆ（３．２ｇ）のジクロロメタン／メタンスルホン酸＝１／１溶液（６０ｍｌ）を氷冷下で２時間攪拌した。反応液を氷水に注加し、更に水酸化ナトリウム水溶液で中和した。酢酸エチルを加えて、有機層を抽出し、飽和食塩水で洗浄後、硫酸マグネシウムで乾燥した。減圧濃縮し、濃縮残さをシリカゲルカラムクロマトグラフィーにて精製することにより、化合物２（１．４６ｇ）を得た。なお、得られた化合物の同定は元素分析、ＮＭＲ及びＭＡＳＳスペクトルにより行った。
【０１９４】
２．材料物性評価
（試験例）
（ａ）発光波長
厚み０．７ｍｍ、２．５ｃｍ角の石英ガラス基板上に、真空蒸着法により、下記ホスト化合物Ｈ−１と下記表１記載の各発光材料を質量比（９９：１）となるように膜厚５０ｎｍの薄膜を形成し、その上にアルミを１００ｎｍ蒸着した。得られた膜に３５０ｎｍのＵＶ光を照射し、発光させたときの発光スペクトルを蛍光分光光度計（ＦＰ−６３００、日本分光（株）製）を用いて測定し、極大発光波長を以下の基準で、３段階で評価した。
○：４４０ｎｍ以上４５５ｎｍ未満。
△：４３０ｎｍ以上４４０ｎｍ未満、４５５ｎｍ以上４６５ｎｍ未満。
×：４３０ｎｍ未満、４６５ｎｍ以上。
【化５６】
0006046884.tif 000058
【０１９５】
（ｂ）スペクトル半値幅
上記（ａ）発光波長で測定した発光スペクトルにおけるスペクトル半値幅ＦＷＨＭ（１％）（エネルギー換算）を以下の基準で、３段階で評価した。
○：０．２０ｅＶ未満。
△：０．２０ｅＶ以上０．２５ｅＶ未満。
×：０．２５ｅＶ以上。
【０１９６】
（ｃ）会合副発光抑制
上記ホスト化合物Ｈ−１と下記表１記載の各発光材料の質量比を９３：７に変える以外は（ａ）発光波長の測定と同様にして作製した膜において、（ｂ）スペクトル半値幅の測定と同様にスペクトル半値幅ＦＷＨＭ（７％）を測定した。この各発光材料７％ドープ膜と、（ｂ）スペクトル半値幅の測定で測定した１％ドープ膜のスペクトル半値幅比（ＦＷＨＭ（７％）／ＦＷＨＭ（１％））を以下の基準で、３段階で評価した。
○：１．１未満。
△：１．１以上１．２未満。
×：１．２以上。
【０１９７】
（ｄ）蒸着適性
下記表１に発光材料として記載した各化合物を２０ｍｇ用いて、真空ＴＧ／ＤＴＡ測定（昇温速度２℃／分、真空度約１０-2Ｐａ）を行い、１０質量％減少温度を以下の２段階で評価した。
○：３００℃未満。
×：３００℃以上。
【０１９８】
下記表１で比較発光材料として用いた比較化合物１〜４は下記の構造である。
【化５７】
0006046884.tif 000059
（比較発光材料）
【０１９９】
上記（ａ）〜（ｄ）で得られた各発光材料の物性試験の結果を下記表１に記載した。
【０２００】
【表１】
0006046884.tif 000060
【０２０１】
３．有機電界発光素子の作製と評価
有機電界発光素子の作製に用いた材料は全て昇華精製を行い、高速液体クロマトグラフィー（東ソーＴＳＫｇｅｌ  ＯＤＳ−１００Ｚ）により純度（２５４ｎｍの吸収強度面積比）が９９．９％以上であることを確認した。
【０２０２】
（実施例１）
厚み０．５ｍｍ、２．５ｃｍ角のＩＴＯ膜を有するガラス基板（ジオマテック社製、表面抵抗１０Ω／□）を洗浄容器に入れ、２−プロパノール中で超音波洗浄した後、３０分間ＵＶ−オゾン処理を行った。この透明陽極（ＩＴＯ膜）上に真空蒸着法にて以下の有機化合物層を順次蒸着した。
なお、以下の実施例及び比較例における蒸着速度は、特に断りのない場合は０．１ｎｍ／秒である。蒸着速度は水晶振動子を用いて測定した。また、以下の各層厚みは水晶振動子を用いて測定した。
【０２０３】
第１層：ＨＡＴ−ＣＮ：膜厚１０ｎｍ
第２層：ＨＴ−２：膜厚３０ｎｍ
第３層：Ｈ−１及び表１中に記載の発光材料（質量比＝９３：７）：膜厚３０ｎｍ
第４層：ＥＴ−１：膜厚３０ｎｍ
【０２０４】
この上に、フッ化リチウム１ｎｍ及び金属アルミニウム１００ｎｍをこの順に蒸着し陰極とした。このとき、フッ化リチウムの層上に、パターニングしたマスク（発光領域が２ｍｍ×２ｍｍとなるマスク）を設置し、金属アルミニウムを蒸着した。
得られた積層体を、大気に触れさせることなく、窒素ガスで置換したグローブボックス内に入れ、ガラス製の封止缶及び紫外線硬化型の接着剤（ＸＮＲ５５１６ＨＶ、長瀬チバ（株）製）を用いて封止し、発光部分が２ｍｍ×２ｍｍの正方形である有機電界発光素子１−１〜１−１０、および比較用の有機電界発光素子１−１〜１−４を得た。各素子とも発光材料に由来する発光が観測された。得られた各有機電界発光素子について、以下の試験を行った。
【０２０５】
（ａ）外部量子効率
ＫＥＩＴＨＬＥＹ社製ソースメジャーユニット２４００を用いて、直流電圧を各素子に印加して発光させ、その輝度を輝度計（ＢＭ−８、（株）トプコン社製）を用いて測定した。発光スペクトルと発光波長はスペクトルアナライザー（ＰＭＡ−１１、浜松ホトニクス（株）製）を用いて測定した。これらを元に輝度が１０００ｃｄ／ｍ2付近の外部量子効率（η）を輝度換算法により算出し、比較化合物３を用いた有機電界発光素子の値を１．０とした相対値で表わした。数字が大きいほど効率が良いことを示しているため、好ましい。
【０２０６】
（ｂ）  色度
各有機電界発光素子を輝度が１０００ｃｄ／ｍ2となるように直流電圧を印加して発光させたときの発光スペクトルから色度（ｘ、ｙ）を求めた。このときのｙ値から以下の４段階で色度を評価した。
◎：    ０．０５≦ｙ≦０．１０。
○：    ０．０４≦ｙ＜０．０５、０．１０＜ｙ≦０．１５。
△：    ０．０３≦ｙ＜０．０４、０．１５＜ｙ≦０．２０。
×：    ｙ＜０．０３、０．２０＜ｙ。
【０２０７】
（ｃ）  駆動劣化後の色度
各有機電界発光素子を輝度が１０００ｃｄ／ｍ2になるように直流電圧を印加して発光させ続け、輝度が５００ｃｄ／ｍ２に低下したときの色度（ｘ’、ｙ’）を発光スペクトルから求めた。駆動劣化前後のｙ値の変化Δｙ（＝｜ｙ’−Δｙ｜）から、以下の３段階で駆動劣化後の色度変化を評価した。
○：    Δｙ≦０．０１。
△：    ０．０１＜Δｙ≦０．０２。
×：    ０．０２＜Δｙ。
【表２】
0006046884.tif 000061
【０２０８】
（実施例２）
層構成を以下に示すものに変えた以外は実施例１と同様にして有機電界発光素子を作製し、実施例１と同様の評価を行った。結果を表３に示す。なお、表３の外部量子効率は、比較化合物３を用いた有機電界発光素子の外部量子効率を１．０としたときの相対値で表示している。
第１層：ＨT−４：膜厚５０ｎｍ
第２層：ＨT−３：膜厚４５ｎｍ
第３層：Ｈ−２及び表３中に記載の発光材料（質量比＝９５：５）：膜厚２５ｎｍ
第４層：ＥＴ−５：膜厚５ｎｍ
第５層：ＥＴ−３：膜厚２０ｎｍ
【表３】
0006046884.tif 000062
【０２０９】
（実施例３）
層構成を以下に示すものに変えた以外は実施例１と同様にして有機電界発光素子を作製し、実施例１と同様の評価を行った。結果を表４に示す。なお、表４の外部量子効率は、比較化合物３を用いた有機電界発光素子の外部量子効率を１．０としたときの相対値で表示している。
第１層：ＨＡＴ−ＣＮ：膜厚１０ｎｍ
第２層：ＨＴ−２：膜厚３０ｎｍ
第３層：Ｈ−１及び表４中に記載の発光材料（質量比＝９５：５）：膜厚３０ｎｍ
第４層：ＥＴ−４：膜厚３０ｎｍ
【表４】
0006046884.tif 000063
【０２１０】
（実施例４）
層構成を以下に示すものに変えた以外は実施例１と同様にして有機電界発光素子を作製し、実施例１と同様の評価を行った。結果を表５に示す。なお、表５の外部量子効率は、比較化合物３を用いた有機電界発光素子の外部量子効率を１．０としたときの相対値で表示している。
第１層：ＨＡＴ−ＣＮ：膜厚１０ｎｍ
第２層：ＨＴ−１：膜厚３０ｎｍ
第３層：Ｈ−３及び表５中に記載の発光材料（質量比＝９３：７）：膜厚３０ｎｍ
第４層：ＥＴ−４：膜厚３０ｎｍ
【表５】
0006046884.tif 000064
【０２１１】
（実施例５）
層構成を以下に示すものに変えた以外は実施例１と同様にして有機電界発光素子を作製し、実施例１と同様の評価を行った。結果を表６に示す。なお、表６の外部量子効率は、比較化合物３を用いた有機電界発光素子の外部量子効率を１．０としたときの相対値で表示している。
第１層：ＨＡＴ−ＣＮ：膜厚１０ｎｍ
第２層：ＨＴ−２：膜厚３０ｎｍ
第３層：Ｈ−４及び表６中に記載の発光材料（質量比＝９３：７）：膜厚３０ｎｍ
第４層：ＥＴ−２：膜厚３０ｎｍ
【表６】
0006046884.tif 000065
【０２１２】
【化５８】
0006046884.tif 000066
【０２１３】
（実施例５）
（有機ＥＬ素子評価（塗布））
−発光層形成用塗布液の調製−
発光材料としての化合物２（０．１質量％）、下記ホスト材料ＰＨ−１（０．９質量％）に、メチルエチルケトン（９８．９９質量％）を混合し、発光層形成用塗布液１を得た。
発光層形成用塗布液１において発光材料としての化合物２を発光材料としての化合物９、１７に変更した以外は発光層形成用塗布液１と同様にして、発光層形成用塗布液２〜３を調製した。
また、発光層形成用塗布液１〜３において、ホスト材料ＰＨ−１をホスト材料Ｈ−２に変更した以外は発光層形成用塗布液１〜３と同様にして、発光層形成用塗布液４〜６をそれぞれ調製した。
【化５９】
0006046884.tif 000067
【０２１４】
また、比較として、発光層形成用塗布液１における発光材料２を比較化合物３に変更した以外は発光層形成用塗布液１と同様にして、比較発光層形成用塗布液１を調整した。
【０２１５】
（素子作製手順）
−有機電界発光素子Ｐ１の作製−
２５ｍｍ×２５ｍｍ×０．７ｍｍのガラス基板上にＩＴＯを１５０ｎｍの厚みで蒸着し製膜したものを透明支持基板とした。この透明支持基板をエッチング、洗浄した。
このＩＴＯガラス基板上に、下記構造式で表されるＰＴＰＤＥＳ−２（ケミプロ化成製、Ｔｇ＝２０５℃）２質量部を電子工業用シクロヘキサノン（関東化学製）９８質量部に溶解し、厚みが約４０ｎｍとなるようにスピンコート（２，０００ｒｐｍ、２０秒間、）した後、１２０℃で３０分間乾燥と１６０℃で１０分間アニール処理することで、正孔注入層を成膜した。
【０２１６】
【化６０】
0006046884.tif 000068
【０２１７】
この正孔注入層上に前記発光層形成用塗布液１を厚みが約４０ｎｍとなるようにスピンコート（１，３００ｒｐｍ、３０秒間）し、発光層とした。
次いで、発光層上に、電子輸送層として、下記構造式で表されるＢＡｌｑ（ビス−（２−メチル−８−キノリノラト）−４−（フェニル−フェノラト）−アルミニウム（ＩＩＩ））を、厚みが４０ｎｍとなるように真空蒸着法にて形成した。
電子輸送層上に、電子注入層としてフッ化リチウム（ＬｉＦ）を、厚みが１ｎｍとなるように真空蒸着法にて形成した。更に金属アルミニウムを７０ｎｍ蒸着し、陰極とした。
以上により作製した積層体を、アルゴンガスで置換したグロ−ブボックス内に入れ、ステンレス製の封止缶及び紫外線硬化型の接着剤（ＸＮＲ５５１６ＨＶ、長瀬チバ（株）製）を用いて封止することで、有機電界発光素子Ｐ１を作製した。
【０２１８】
有機電界発光素子Ｐ１において、発光層形成用塗布液１を発光層形成用塗布液２〜６に変更した以外は、有機電界発光素子Ｐ１と同様にして、有機電界発光素子Ｐ２〜６を作製した。
また、比較として、有機電界発光素子Ｐ１において、発光層形成用塗布液１を比較発光層形成用塗布液１に変更した以外は、有機電界発光素子Ｐ１と同様にして、有機電界発光素子Ｐ７を作製した。
【０２１９】
有機電界発光素子Ｐ７について、実施例１と同様の評価を行った。結果を表７に示す。なお、表７の外部量子効率は、比較化合物１を用いた有機電界発光素子の外部量子効率を１．０としたときの相対値で表示している。
【０２２０】
【表７】
0006046884.tif 000069
【０２２１】
表２〜表７より、本発明の有機電界発光素子は、発光効率が高くて、青色純度が優れており、駆動劣化に伴う色度変化が小さいことがわかった。
【符号の説明】
【０２２２】
２・・・基板
３・・・陽極
４・・・正孔注入層
５・・・正孔輸送層
６・・・発光層
７・・・正孔ブロック層
８・・・電子輸送層
９・・・陰極
１０・・・有機電界発光素子
１１・・・有機層
１２・・・保護層
１４・・・接着層
１６・・・封止容器
２０・・・発光装置
３０・・・光散乱部材
３１・・・透明基板
３０Ａ・・光入射面
３０Ｂ・・光出射面
３２・・・微粒子
４０・・・照明装置
【図１】
0006046884.tif 000082
【図２】
0006046884.tif 000083
【図３】
0006046884.tif 000084